(57)【特許請求の範囲】
【請求項１】
複数の電気機器を含む所定のシステムで消費される総消費電力を制御する電力制御装置であって、
前記複数の電気機器を利用するユーザの複数種の生活シーンをそれぞれ特徴付ける期間を含む前記複数種の生活シーンの特徴と、前記複数種の期間それぞれに対応付けられた、前記複数種の期間それぞれにおける総消費電力のパタンと、を記憶する記憶部と、
前記複数種の生活シーンの特徴のうち、これから到来する期間を含み、かつ、１以上の所定の装置から供給される情報で表される特徴を特定する特定手段と、
前記記憶部から、前記特定手段が特定した前記特徴に含まれる期間に対応付けられた前記総消費電力のパタンを、前記これから到来する期間の前記総消費電力についての予測値として取得する予測値取得手段と、
前記総消費電力の現在値を取得する現在値取得手段と、
前記現在値取得手段が取得した前記現在値と前記予測値取得手段が取得した前記予測値とに基づいて、前記これから到来する期間における前記総消費電力についての予測電力を算出する算出手段と、
前記算出手段が算出した前記予測電力が閾値を超える場合、前記特定手段が特定した前記期間に応じて予め設定されている制御内容に従って、消費電力の抑制を試行するように指示する抑制指示を、前記複数の電気機器のうちの１つの電気機器又は複数の電気機器毎に送信する電力制御手段と、
前記抑制指示に基づく消費電力の抑制態様を前記電気機器から受信する受信手段と、を備え、
前記電力制御手段は、前記受信手段が受信した前記抑制態様に応じた処理をさらに行う、
ことを特徴とする電力制御装置。
【請求項２】
複数の電気機器を含む所定のシステムで消費される総消費電力を制御する電力制御装置であって、
前記複数の電気機器を利用するユーザの複数種の生活シーンをそれぞれ特徴付ける期間を含む前記複数種の生活シーンの特徴と、前記複数種の期間それぞれに対応付けられた、前記複数種の期間それぞれにおける総消費電力のパタンと、を記憶する記憶部と、
前記複数種の生活シーンの特徴のうち、これから到来する期間を含み、かつ、１以上の所定の装置から供給される情報で表される特徴を特定する特定手段と、
前記特定手段で特定された前記特徴に含まれる期間における発電装置の発電量を予測するとともに、車両に搭載された蓄電池の蓄電量を表す情報に基づいて、前記特定手段で特定された前記特徴に含まれる期間において前記蓄電池が充電又は放電する充放電電力を予測する予測手段と、
前記特定手段が特定した前記特徴に含まれる期間に対応付けて記憶された総消費電力のパタンに基づいて、前記特徴を有する生活シーンにおける前記総消費電力についての予測電力を算出する算出手段と、
前記予測手段が予測した前記発電量の予測値と、前記総消費電力についての予測電力と、に基づいて前記車両に搭載された蓄電池に対する充放電を制御するとともに、前記算出手段が算出した前記予測電力と、前記充放電電力の予測値と、前記発電量の予測値と、に基づいて消費電力の抑制を試行するように前記複数の電気機器のいずれか１つ以上に対して指示を行う電力制御手段と、を備える、
ことを特徴とする電力制御装置。
【請求項３】
複数の電気機器を含む所定のシステムで消費される総消費電力を制御する電力制御装置であって、
前記複数の電気機器を利用するユーザの複数種の生活シーンをそれぞれ特徴付ける期間を含む前記複数種の生活シーンの特徴と、前記複数種の期間それぞれに対応付けられた、前記複数種の期間それぞれにおける総消費電力のパタンと、を記憶する記憶部と、
前記複数種の生活シーンの特徴のうち、これから到来する期間を含み、かつ、１以上の所定の装置から供給される情報で表される特徴を特定する特定手段と、
前記特定手段が特定した前記特徴に含まれる期間に対応付けて記憶された総消費電力のパタンに基づいて、前記特徴を有する生活シーンにおける前記総消費電力についての予測電力を算出する算出手段と、
前記算出手段が算出した前記予測電力に基づいて消費電力の抑制を試行するように前記複数の電気機器のいずれか１つ以上に対して指示を行うことで、前記特定手段が特定した前記特徴に含まれる期間に応じて予め設定されている制御内容に従って前記複数の電気機器のうちの１以上の電気機器の消費電力を制御する電力制御手段と、を備える、
ことを特徴とする電力制御装置。
【請求項４】
複数の電気機器を含む所定のシステムで消費される総消費電力を制御する電力制御装置であって、
前記複数の電気機器を利用するユーザの複数種の生活シーンの特徴と、前記複数種の生活シーンの特徴それぞれに対応付けられた、前記複数種の生活シーンそれぞれにおける総消費電力のパタンと、を記憶する記憶部と、
前記複数種の生活シーンの特徴のうち、１以上の所定の装置から供給される情報で表される特徴を特定する特定手段と、
前記特定手段が特定した前記特徴に対応付けて記憶された総消費電力のパタンに基づいて、前記特徴を有する生活シーンにおける前記総消費電力についての予測電力を算出する算出手段と、
前記算出手段が算出した前記予測電力に基づいて、前記複数の電気機器の少なくとも１つに対し、該複数の電気機器の少なくとも１つが決定する消費電力を抑制させる範囲において消費電力の抑制を試行する指示を送る電力制御手段と、を備える、
ことを特徴とする電力制御装置。
【請求項５】
前記記憶部から、前記特定手段が特定した前記特徴に含まれる期間に対応付けられた前記総消費電力のパタンを、前記これから到来する期間の前記総消費電力についての予測値として取得する予測値取得手段と、
前記総消費電力の現在値を取得する現在値取得手段と、をさらに備え、
前記算出手段は、前記現在値取得手段が取得した前記現在値と前記予測値取得手段が取得した前記予測値とに基づいて、前記これから到来する期間における前記総消費電力についての予測電力を算出し、
前記電力制御手段は、前記算出手段が算出した前記予測電力が閾値を超える場合、前記複数の電気機器のいずれか１つ以上に前記指示を行う、
ことを特徴とする請求項２及び３に記載の電力制御装置。
【請求項６】
前記生活シーンの特徴は、前記生活シーンを特徴付ける期間を含み、
前記記憶部は、前記複数種の生活シーンを特徴付ける期間と、前記複数種の期間それぞれに対応付けられた、前記複数種の期間それぞれにおける前記総消費電力のパタンと、を記憶し、
前記特定手段は、前記１以上の所定の装置から供給される情報に基づいて、前記複数種の期間のうち、これから到来する期間を特定し、
前記記憶部から、前記特定手段が特定した前記期間に対応付けられた前記総消費電力のパタンを、前記これから到来する期間の前記総消費電力についての予測値として取得する予測値取得手段と、
前記総消費電力の現在値を取得する現在値取得手段と、をさらに備え、
前記算出手段は、前記現在値取得手段が取得した前記現在値と前記予測値取得手段が取得した前記予測値とに基づいて、前記これから到来する期間における前記総消費電力についての予測電力を算出し、
前記電力制御手段は、前記算出手段が算出した前記予測電力が閾値を超える場合、前記複数の電気機器のいずれか１つ以上に前記指示を行う、
ことを特徴とする請求項４に記載の電力制御装置。
【請求項７】
前記電力制御手段は、前記特定手段が特定した前記特徴に含まれる期間に応じて予め設定されている制御内容に従って、消費電力の抑制を試行するように指示する抑制指示を、前記複数の電気機器のうちの１つの電気機器又は複数の電気機器毎に送信し、
前記抑制指示に基づく消費電力の抑制態様を前記電気機器から受信する受信手段をさらに備え、
前記電力制御手段は、前記受信手段が受信した前記抑制態様に応じた処理をさらに行う、
ことを特徴とする請求項２、３、５、及び６のいずれか１項に記載の電力制御装置。
【請求項８】
前記特定手段で特定された特徴に含まれる期間における、発電装置の発電量を予測する予測手段をさらに備え、
前記電力制御手段は、さらに、前記予測手段が予測した前記発電量の予測値に基づいて前記総消費電力を制御する、
ことを特徴とする請求項１、３、及び６のいずれか１項に記載の電力制御装置。
【請求項９】
前記電力制御手段は、前記発電装置が発電した電力を前記複数の電気機器に優先的に使用させる、
ことを特徴とする請求項８に記載の電力制御装置。
【請求項１０】
前記予測手段は、車両に搭載された蓄電池の蓄電量を表す情報に基づいて、前記特定手段で特定された特徴に含まれる期間において、前記蓄電池が充電又は放電する充放電電力をさらに予測し、
前記電力制御手段は、前記予測手段が予測した前記発電量の予測値と、前記総消費電力についての予測電力と、に基づいて前記車両に搭載された蓄電池に対する充放電を制御するとともに、前記総消費電力についての予測電力と、前記充放電電力の予測値と、前記発電量の予測値と、に基づいて前記総消費電力を抑制する指示を行う、
ことを特徴とする請求項８又は９に記載の電力制御装置。
【請求項１１】
前記記憶部は、前記複数種の生活シーンの特徴と、前記複数種の生活シーンの特徴それぞれに対応付けられた、前記複数種の生活シーンそれぞれにおける前記車両の利用パタンと、をさらに記憶し、
前記予測手段は、前記特定手段が特定した前記特徴に対応付けて記憶された前記車両の利用パタンに基づいて、前記特徴を有する生活シーンにおいて前記車両の利用により消費される消費電力量を予測し、
前記電力制御手段は、前記予測手段が予測した前記車両の消費電力量の予測値にさらに基づいて、前記車両に搭載された蓄電池が劣化しない又は前記蓄電池が劣化する程度が所定の程度より小さくなるように前記蓄電池を充放電させる、
ことを特徴とする請求項２又は１０に記載の電力制御装置。
【請求項１２】
前記予測手段は、前記総消費電力についての予測電力と前記発電量の予測値とに基づいて不足電力閾値以上の電力が不足する電力不足状態の発生を予測し、
前記電力制御手段は、前記予測手段で電力不足状態の発生が予測された場合に、前記車両に搭載された蓄電池の放電を開始させ、前記蓄電池が過放電により劣化しない又は過放電による劣化の程度が前記所定の程度より小さくなる第１蓄電量に対して、前記車両の消費電力量の予測値を加えた第２蓄電量と、前記蓄電池の蓄電量が同じになる又は当該第２蓄電量よりも少なくなると前記蓄電池の放電を中止させる、
ことを特徴とする請求項１１に記載の電力制御装置。
【請求項１３】
前記予測手段は、前記総消費電力についての予測電力と前記発電量の予測値とに基づいて余剰電力閾値以上の電力が余剰する電力余剰状態の発生を予測し、
前記電力制御手段は、電力不足状態も電力余剰状態も生じないと予測される場合に、前記車両に搭載された蓄電池の充電を開始させ、前記第１蓄電量よりも多く、かつ所定の制限時間を超えて前記蓄電池の放電が行われなくとも劣化しない又は過充電による劣化の程度が前記所定の程度より小さくなる第３蓄電量と、前記蓄電池の蓄電量が同じになる又は当該第３蓄電量よりも多くなると前記蓄電池の充電を中止させる、
ことを特徴とする請求項１２に記載の電力制御装置。
【請求項１４】
前記電力制御手段は、前記電力余剰状態が生じると予測される場合に、前記第３蓄電量より多く、かつ前記制限時間内であれば前記蓄電池が劣化しない又は劣化の程度が前記所定の程度より小さくなる第４蓄電量と、前記蓄電池の蓄電量が同じになる又は当該第４蓄電量よりも多くなると前記蓄電池の充電を中止させ、前記蓄電池の蓄電量が前記第４蓄電量と同一の蓄電量又は当該第４蓄電量より多い蓄電量に維持された時間が前記制限時間を超える前に前記蓄電池を放電させる、
ことを特徴とする請求項１３に記載の電力制御装置。
【請求項１５】
前記電力制御手段は、前記電力不足状態が生じると予測される場合に、前記第３蓄電量より多く、かつ前記電力不足状態に対する準備期間であれば前記蓄電池が劣化しない又は劣化の程度が前記所定の程度より小さくなる第５蓄電量と、前記蓄電池の蓄電量が同じになる又は当該第５蓄電量よりも多くなると前記蓄電池の充電を中止させ、前記蓄電池の蓄電量が前記第５蓄電量と同一の蓄電量又は前記第５蓄電量より多い蓄電量に維持された時間が前記準備期間を超える前に前記蓄電池を放電させる、
ことを特徴とする請求項１３に記載の電力制御装置。
【請求項１６】
前記予測手段は、前記車両の利用パタン又は前記車両の利用スケジュールに基づいて、前記車両が使用されない不使用期間を予測し、
前記電力制御手段は、前記予測手段で予測された不使用期間において前記車両に搭載された蓄電池の放電が行われなかった場合でも蓄電池が劣化しない又は劣化の程度が前記所定の程度より小さくなる程に少ない蓄電量であって、かつ前記不使用期間において蓄電池の充電が行われなかった場合でも蓄電池が劣化しない程度に多い蓄電量に達するまで、前記蓄電池を充電又は放電させた後に、前記不使用期間において前記蓄電池の充放電を制御しない、
ことを特徴とする請求項１１乃至１５のいずれか１項に記載の電力制御装置。
【請求項１７】
前記電力制御手段は、前記車両に搭載された蓄電池の蓄電量を、満充電量まで又満充電量よりも所定の電力量だけ少ない蓄電量まで充電させ、前記蓄電池が満充電量又は満充電量よりも所定の電力量だけ少ない蓄電量を維持されても劣化しない又は劣化の程度が所定の程度より少ない時間を超える前に前記蓄電池を放電させる、
ことを特徴とする請求項１０に記載の電力制御装置。
【請求項１８】
外部から、消費電力量の指定を受け付ける受付手段と、
前記受付手段が受け付けた指定に基づいて、前記閾値を変更する閾値変更手段と、
をさらに備えることを特徴とする請求項１、５、及び６のいずれか１項に記載の電力制御装置。
【請求項１９】
前記複数種の期間は、時間帯と、日付と、前記日付又は前記時間帯における曜日と、前記日付又は前記時間帯における気候と、前記日付又は前記時間帯におけるユーザの外出の有無と、のうちのいずれか少なくとも１つ以上によって区分けされている期間である、
ことを特徴とする請求項１乃至３及び５乃至１８のいずれか１項に記載の電力制御装置。
【請求項２０】
前記総消費電力についての予測値とされる前記総消費電力のパタンは、過去の前記総消費電力に基づいたものである、
ことを特徴とする請求項１、５、及び６のいずれか１項に記載の電力制御装置。
【請求項２１】
前記電力制御手段は、前記特定手段が特定した前記特徴に含まれる期間に応じて予め設定されている制御内容に従って前記複数の電気機器のうちの１以上の電気機器の消費電力を制御することにより、前記総消費電力を制御する、
ことを特徴とする請求項１、２、及び６のいずれか１項に記載の電力制御装置。
【請求項２２】
消費電力の異なる複数種の運転モードを有する複数の電気機器と、
前記複数の電気機器を利用するユーザの複数種の生活シーンをそれぞれ特徴付ける期間を含む前記複数種の生活シーンの特徴と、前記複数種の期間それぞれに対応付けられた、前記複数種の期間それぞれにおける総消費電力のパタンと、を記憶する記憶部と、
前記複数種の生活シーンの特徴のうち、これから到来する期間を含み、かつ、１以上の所定の装置から供給される情報で表される特徴を特定する特定手段と、
前記記憶部から、前記特定手段が特定した前記特徴に含まれる期間に対応付けられた前記総消費電力のパタンを、前記これから到来する期間の前記総消費電力についての予測値として取得する予測値取得手段と、
前記総消費電力の現在値を取得する現在値取得手段と、
前記現在値取得手段が取得した前記現在値と前記予測値取得手段が取得した前記予測値とに基づいて、前記これから到来する期間における前記総消費電力についての予測電力を算出する算出手段と、
前記算出手段が算出した前記予測電力が閾値を超える場合、前記特定手段が特定した前記期間に応じて予め設定されている制御内容に従って、運転モードの変更により消費電力の抑制を試行するように指示する抑制指示を、前記複数の電気機器のうちの１つの電気機器又は複数の電気機器毎に送信する電力制御手段と、
前記抑制指示に基づく消費電力の抑制態様を前記電気機器から受信する受信手段と、を備え、
前記電力制御手段は、前記受信手段が受信した前記抑制態様に応じた処理をさらに行う、
ことを特徴とする電力制御システム。
【請求項２３】
消費電力の異なる複数種の運転モードを有する複数の電気機器と、
前記複数の電気機器を利用するユーザの複数種の生活シーンをそれぞれ特徴付ける期間を含む前記複数種の生活シーンの特徴と、前記複数種の期間それぞれに対応付けられた、前記複数種の期間それぞれにおける総消費電力のパタンと、を記憶する記憶部と、
前記複数種の生活シーンの特徴のうち、これから到来する期間を含み、かつ、１以上の所定の装置から供給される情報で表される特徴を特定する特定手段と、
前記特定手段で特定された前記特徴に含まれる期間における発電装置の発電量を予測するとともに、車両に搭載された蓄電池の蓄電量を表す情報に基づいて、前記特定手段で特定された前記特徴に含まれる期間において前記蓄電池が充電又は放電する充放電電力を予測する予測手段と、
前記特定手段が特定した前記特徴に含まれる期間に対応付けて記憶された総消費電力のパタンに基づいて、前記特徴を有する生活シーンにおける前記総消費電力についての予測電力を算出する算出手段と、
前記予測手段が予測した前記発電量の予測値と、前記総消費電力についての予測電力と、に基づいて前記車両に搭載された蓄電池に対する充放電を制御するとともに、前記算出手段が算出した前記予測電力と、前記充放電電力の予測値と、前記発電量の予測値と、に基づいて、運転モードの変更により消費電力の抑制を試行するように指示を行う電力制御手段と、を備える、
ことを特徴とする電力制御システム。
【請求項２４】
消費電力の異なる複数種の運転モードを有する複数の電気機器と、
前記複数の電気機器を利用するユーザの複数種の生活シーンをそれぞれ特徴付ける期間を含む前記複数種の生活シーンの特徴と、前記複数種の期間それぞれに対応付けられた、前記複数種の期間それぞれにおける総消費電力のパタンと、を記憶する記憶部と、
前記複数種の生活シーンの特徴のうち、これから到来する期間を含み、かつ、１以上の所定の装置から供給される情報で表される特徴を特定する特定手段と、
前記特定手段が特定した前記特徴に含まれる期間に対応付けて記憶された総消費電力のパタンに基づいて、前記特徴を有する生活シーンにおける前記総消費電力についての予測電力を算出する算出手段と、
前記算出手段が算出した前記予測電力に基づいて、運転モードの変更により消費電力の抑制を試行するように前記複数の電気機器のいずれか１つ以上に対して指示を行うことで、前記特定手段が特定した前記特徴に含まれる期間に応じて予め設定されている制御内容に従って前記複数の電気機器のうちの１以上の電気機器の消費電力を制御する電力制御手段と、を備える、
ことを特徴とする電力制御システム。
【請求項２５】
消費電力の異なる複数種の運転モードを有する複数の電気機器と、
前記複数の電気機器を利用するユーザの複数種の生活シーンの特徴と、前記複数種の生活シーンの特徴それぞれに対応付けられた、前記複数種の生活シーンそれぞれにおける総消費電力のパタンと、を記憶する記憶部と、
前記複数種の生活シーンの特徴のうち、１以上の所定の装置から供給される情報で表される特徴を特定する特定手段と、
前記特定手段が特定した前記特徴に対応付けて記憶された総消費電力のパタンに基づいて、前記特徴を有する生活シーンにおける前記総消費電力についての予測電力を算出する算出手段と、
前記算出手段が算出した前記予測電力に基づいて、前記複数の電気機器の少なくとも１つに対し、該複数の電気機器の少なくとも１つが決定する消費電力を抑制させる範囲において消費電力の抑制を試行する指示を送る電力制御手段と、を備える、
ことを特徴とする電力制御システム。
【請求項２６】
複数の電気機器を含む所定のシステムで消費される総消費電力を制御する電力制御プログラムであって、
コンピュータを、
前記複数の電気機器を利用するユーザの複数種の生活シーンをそれぞれ特徴付ける期間を含む前記複数種の生活シーンの特徴と、前記複数種の期間それぞれに対応付けられた、前記複数種の期間それぞれにおける総消費電力のパタンと、を記憶する記憶部、
前記複数種の生活シーンの特徴のうち、これから到来する期間を含み、かつ、１以上の所定の装置から供給される情報で表される特徴を特定する特定手段、
前記記憶部から、前記特定手段が特定した前記特徴に含まれる期間に対応付けられた前記総消費電力のパタンを、前記これから到来する期間の前記総消費電力についての予測値として取得する予測値取得手段、
前記総消費電力の現在値を取得する現在値取得手段、
前記現在値取得手段が取得した前記現在値と前記予測値取得手段が取得した前記予測値とに基づいて、前記これから到来する期間における前記総消費電力についての予測電力を算出する算出手段、
前記算出手段が算出した前記予測電力が閾値を超える場合、前記特定手段が特定した前記期間に応じて予め設定されている制御内容に従って、消費電力の抑制を試行するように指示する抑制指示を、前記複数の電気機器のうちの１つの電気機器又は複数の電気機器毎に送信する電力制御手段、
前記抑制指示に基づく消費電力の抑制態様を前記電気機器から受信する受信手段、として機能させ、
前記電力制御手段は、前記受信手段が受信した前記抑制態様に応じた処理をさらに行う、
ことを特徴とする電力制御プログラム。
【請求項２７】
複数の電気機器を含む所定のシステムで消費される総消費電力を制御する電力制御プログラムであって、
コンピュータを、
前記複数の電気機器を利用するユーザの複数種の生活シーンをそれぞれ特徴付ける期間を含む前記複数種の生活シーンの特徴と、前記複数種の期間それぞれに対応付けられた、前記複数種の期間それぞれにおける総消費電力のパタンと、を記憶する記憶部、
前記複数種の生活シーンの特徴のうち、これから到来する期間を含み、かつ、１以上の所定の装置から供給される情報で表される特徴を特定する特定手段、
前記特定手段で特定された前記特徴に含まれる期間における発電装置の発電量を予測するとともに、車両に搭載された蓄電池の蓄電量を表す情報に基づいて、前記特定手段で特定された前記特徴に含まれる期間において前記蓄電池が充電又は放電する充放電電力を予測する予測手段、
前記特定手段が特定した前記特徴に含まれる期間に対応付けて記憶された総消費電力のパタンに基づいて、前記特徴を有する生活シーンにおける前記総消費電力についての予測電力を算出する算出手段、
前記予測手段が予測した前記発電量の予測値と、前記総消費電力についての予測電力と、に基づいて前記車両に搭載された蓄電池に対する充放電を制御するとともに、前記算出手段が算出した前記予測電力と、前記充放電電力の予測値と、前記発電量の予測値と、に基づいて消費電力の抑制を試行するように前記複数の電気機器のいずれか１つ以上に対して指示を行う電力制御手段、として機能させる、
ことを特徴とする電力制御プログラム。
【請求項２８】
複数の電気機器を含む所定のシステムで消費される総消費電力を制御する電力制御プログラムであって、
コンピュータを、
前記複数の電気機器を利用するユーザの複数種の生活シーンをそれぞれ特徴付ける期間を含む前記複数種の生活シーンの特徴と、前記複数種の期間それぞれに対応付けられた、前記複数種の期間それぞれにおける総消費電力のパタンと、を記憶する記憶部、
前記複数種の生活シーンの特徴のうち、これから到来する期間を含み、かつ、１以上の所定の装置から供給される情報で表される特徴を特定する特定手段、
前記特定手段が特定した前記特徴に含まれる期間に対応付けて記憶された総消費電力のパタンに基づいて、前記特徴を有する生活シーンにおける前記総消費電力についての予測電力を算出する算出手段、
前記算出手段が算出した前記予測電力に基づいて消費電力の抑制を試行するように前記複数の電気機器のいずれか１つ以上に対して指示を行うことで、前記特定手段が特定した前記特徴に含まれる期間に応じて予め設定されている制御内容に従って前記複数の電気機器のうちの１以上の電気機器の消費電力を制御する電力制御手段、として機能させる、
ことを特徴とする電力制御プログラム。
【請求項２９】
複数の電気機器を含む所定のシステムで消費される総消費電力を制御する電力制御プログラムであって、
コンピュータを、
前記複数の電気機器を利用するユーザの複数種の生活シーンの特徴と、前記複数種の生活シーンの特徴それぞれに対応付けられた、前記複数種の生活シーンそれぞれにおける総消費電力のパタンと、を記憶する記憶部、
前記複数種の生活シーンの特徴のうち、１以上の所定の装置から供給される情報で表される特徴を特定する特定手段、
前記特定手段が特定した前記特徴に対応付けて記憶された総消費電力のパタンに基づいて、前記特徴を有する生活シーンにおける前記総消費電力についての予測電力を算出する算出手段、
前記算出手段が算出した前記予測電力に基づいて、前記複数の電気機器の少なくとも１つに対し、該複数の電気機器の少なくとも１つが決定する消費電力を抑制させる範囲において消費電力の抑制を試行する指示を送る電力制御手段、として機能させる、
ことを特徴とする電力制御プログラム。
【請求項３０】
複数の電気機器を含む所定のシステムで消費される総消費電力を制御する電力制御方法であって、
前記複数の電気機器を利用するユーザの複数種の生活シーンをそれぞれ特徴付ける期間を含む前記複数種の生活シーンの特徴のうち、これから到来する期間を含み、かつ、１以上の所定の装置から供給される情報で表される特徴を特定する特定ステップと、
前記特定ステップで特定した前記特徴に含まれる期間に対応付けて記憶部に記憶された前記期間における総消費電力のパタンを、前記これから到来する期間の前記総消費電力についての予測値として取得する予測値取得ステップと、
前記総消費電力の現在値を取得する現在値取得ステップと、
前記現在値取得ステップで取得した前記現在値と前記予測値取得ステップで取得した前記予測値とに基づいて、前記これから到来する期間における前記総消費電力についての予測電力を算出する算出ステップと、
前記算出ステップで算出した前記予測電力が閾値を超える場合、前記特定ステップで特定した前記期間に応じて予め設定されている制御内容に従って、消費電力の抑制を試行するように指示する抑制指示を、前記複数の電気機器のうちの１つの電気機器又は複数の電気機器毎に送信する電力制御ステップと、
前記抑制指示に基づく消費電力の抑制態様を前記電気機器から受信する受信ステップと、
前記受信ステップで受信した前記抑制態様に応じた処理をさらに行うステップと、を有する、
ことを特徴とする電力制御方法。
【請求項３１】
複数の電気機器を含む所定のシステムで消費される総消費電力を制御する電力制御方法であって、
前記複数の電気機器を利用するユーザの複数種の生活シーンをそれぞれ特徴付ける期間を含む前記複数種の生活シーンの特徴のうち、これから到来する期間を含み、かつ、１以上の所定の装置から供給される情報で表される特徴を特定する特定ステップと、
前記特定ステップで特定された前記特徴に含まれる期間における発電装置の発電量を予測するとともに、車両に搭載された蓄電池の蓄電量を表す情報に基づいて、前記特定ステップで特定された前記特徴に含まれる期間において前記蓄電池が充電又は放電する充放電電力を予測する予測ステップと、
前記特定ステップで特定した前記特徴に含まれる期間に対応付けて記憶部に記憶された、前記特徴を有する生活シーンにおける総消費電力のパタンに基づいて、前記生活シーンにおける前記総消費電力についての予測電力を算出する算出ステップと、
前記予測ステップで予測した前記発電量の予測値と、前記総消費電力についての予測電力と、に基づいて前記車両に搭載された蓄電池に対する充放電を制御するとともに、前記算出ステップで算出した前記予測電力と、前記充放電電力の予測値と、前記発電量の予測値と、に基づいて消費電力の抑制を試行するように前記複数の電気機器のいずれか１つ以上に対して指示を行う電力制御ステップと、を有する、
ことを特徴とする電力制御方法。
【請求項３２】
複数の電気機器を含む所定のシステムで消費される総消費電力を制御する電力制御方法であって、
前記複数の電気機器を利用するユーザの複数種の生活シーンをそれぞれ特徴付ける期間を含む前記複数種の生活シーンの特徴のうち、これから到来する期間を含み、かつ、１以上の所定の装置から供給される情報で表される特徴を特定する特定ステップと、
前記特定ステップで特定した前記特徴に含まれる期間に対応付けて記憶部に記憶された、前記特徴を有する生活シーンにおける総消費電力のパタンに基づいて、前記生活シーンにおける前記総消費電力についての予測電力を算出する算出ステップと、
前記算出ステップで算出した前記予測電力に基づいて消費電力の抑制を試行するように前記複数の電気機器のいずれか１つ以上に対して指示を行うことで、前記特定ステップで特定した前記特徴に含まれる期間に応じて予め設定されている制御内容に従って前記複数の電気機器のうちの１以上の電気機器の消費電力を制御する電力制御ステップと、を有する、
ことを特徴とする電力制御方法。
【請求項３３】
複数の電気機器を含む所定のシステムで消費される総消費電力を制御する電力制御方法であって、
前記複数の電気機器を利用するユーザの複数種の生活シーンの特徴のうち、１以上の所定の装置から供給される情報で表される特徴を特定する特定ステップと、
前記特定ステップで特定した前記特徴に対応付けて記憶部に記憶された、前記特徴を有する生活シーンにおける総消費電力のパタンに基づいて、前記生活シーンにおける前記総消費電力についての予測電力を算出する算出ステップと、
前記算出ステップで算出した前記予測電力に基づいて、前記複数の電気機器の少なくとも１つに対し、該複数の電気機器の少なくとも１つが決定する消費電力を抑制させる範囲において消費電力の抑制を試行する指示を送る電力制御ステップと、を有する、
ことを特徴とする電力制御方法。
【発明の詳細な説明】
【技術分野】
【０００１】
本発明は、家電機器等の電気機器において使用される電力を制御する電力制御装置、電力制御システム、電力制御プログラム、及び電力制御方法に関する。
【背景技術】
【０００２】
この種の技術として、例えば、特許文献１には、複数の電気機器の供給電流をブレーカの定格電流値を超えないように制御する電力供給システムの制御装置であって、制御装置に接続されている電気機器が新たな動作を開始した場合、供給電流が制限値を超えないように電流制限制御を行う制御装置が開示されている。
【０００３】
例えば、特許文献２には、複数の機器のそれぞれを、ネットワークを介して制御する制御方法であって、新たに電力消費が必要な場合であっても、複数の機器の動作を再スケジュールすることで、該複数の機器における消費予定電力の合計が所定の値を下回るように該複数の機器を制御する制御方法が開示されている。
【０００４】
例えば、特許文献３には、有線または無線による通信を介して宅内の家電機器と接続する電力制御装置であって、家電機器のうち特定の家電機器である特定家電機器の使用電力量と特定家電機器以外の家電機器の使用電力量との総和が電力上限値設定手段により設定された上限値以上となると、特定家電機器以外の家電機器に対して使用電力量を所定分削減するための電力制御信号を電力制御手段から出力させる電力制御装置が開示されている。
【先行技術文献】
【特許文献】
【０００５】
【特許文献１】特開２００９−２７３２６２号公報
【特許文献２】特開２００７−０２８０３６号公報
【特許文献３】特開２０１０−１６１８８８号公報
【発明の概要】
【発明が解決しようとする課題】
【０００６】
しかしながら、上記特許文献１乃至３の技術では、所定の電気機器が使用された後に消費電力の制限を行うために、例えば、使用された電気機器の消費電力が予想以上に大きかった場合には、消費電力が大きくなってからでしか電力消費を抑制できないという不都合が生じた。
【０００７】
本発明は、上記背景技術の問題点を解決するためになされたものであり、複数の電気機器の総消費電力が大きくなる前に電力消費を抑制できる電力制御装置、電力制御システム、電力制御プログラム、及び電力制御方法を提供することを目的とする。
【課題を解決するための手段】
【０００８】
上記目的を達成するため、本発明の第１の観点に係る電力制御装置は、
複数の電気機器を含む所定のシステムで消費される総消費電力を制御する電力制御装置であって、
前記複数の電気機器を利用するユーザの複数種の生活シーンをそれぞれ特徴付ける期間を含む前記複数種の生活シーンの特徴と、前記複数種の期間それぞれに対応付けられた、前記複数種の期間それぞれにおける総消費電力のパタンと、を記憶する記憶部と、
前記複数種の生活シーンの特徴のうち、これから到来する期間を含み、かつ、１以上の所定の装置から供給される情報で表される特徴を特定する特定手段と、
前記記憶部から、前記特定手段が特定した前記特徴に含まれる期間に対応付けられた前記総消費電力のパタンを、前記これから到来する期間の前記総消費電力についての予測値として取得する予測値取得手段と、
前記総消費電力の現在値を取得する現在値取得手段と、
前記現在値取得手段が取得した前記現在値と前記予測値取得手段が取得した前記予測値とに基づいて、前記これから到来する期間における前記総消費電力についての予測電力を算出する算出手段と、
前記算出手段が算出した前記予測電力が閾値を超える場合、前記特定手段が特定した前記期間に応じて予め設定されている制御内容に従って、消費電力の抑制を試行するように指示する抑制指示を、前記複数の電気機器のうちの１つの電気機器又は複数の電気機器毎に送信する電力制御手段と、
前記抑制指示に基づく消費電力の抑制態様を前記電気機器から受信する受信手段と、を備え、
前記電力制御手段は、前記受信手段が受信した前記抑制態様に応じた処理をさらに行う。
また、本発明の第２の観点に係る電力制御装置は、
複数の電気機器を含む所定のシステムで消費される総消費電力を制御する電力制御装置であって、
前記複数の電気機器を利用するユーザの複数種の生活シーンをそれぞれ特徴付ける期間を含む前記複数種の生活シーンの特徴と、前記複数種の期間それぞれに対応付けられた、前記複数種の期間それぞれにおける総消費電力のパタンと、を記憶する記憶部と、
前記複数種の生活シーンの特徴のうち、これから到来する期間を含み、かつ、１以上の所定の装置から供給される情報で表される特徴を特定する特定手段と、
前記特定手段で特定された前記特徴に含まれる期間における発電装置の発電量を予測するとともに、車両に搭載された蓄電池の蓄電量を表す情報に基づいて、前記特定手段で特定された前記特徴に含まれる期間において前記蓄電池が充電又は放電する充放電電力を予測する予測手段と、
前記特定手段が特定した前記特徴に含まれる期間に対応付けて記憶された総消費電力のパタンに基づいて、前記特徴を有する生活シーンにおける前記総消費電力についての予測電力を算出する算出手段と、
前記予測手段が予測した前記発電量の予測値と、前記総消費電力についての予測電力と、に基づいて前記車両に搭載された蓄電池に対する充放電を制御するとともに、前記算出手段が算出した前記予測電力と、前記充放電電力の予測値と、前記発電量の予測値と、に基づいて消費電力の抑制を試行するように前記複数の電気機器のいずれか１つ以上に対して指示を行う電力制御手段と、を備える。
さらに、本発明の第３の観点に係る電力制御装置は、
複数の電気機器を含む所定のシステムで消費される総消費電力を制御する電力制御装置であって、
前記複数の電気機器を利用するユーザの複数種の生活シーンをそれぞれ特徴付ける期間を含む前記複数種の生活シーンの特徴と、前記複数種の期間それぞれに対応付けられた、前記複数種の期間それぞれにおける総消費電力のパタンと、を記憶する記憶部と、
前記複数種の生活シーンの特徴のうち、これから到来する期間を含み、かつ、１以上の所定の装置から供給される情報で表される特徴を特定する特定手段と、
前記特定手段が特定した前記特徴に含まれる期間に対応付けて記憶された総消費電力のパタンに基づいて、前記特徴を有する生活シーンにおける前記総消費電力についての予測電力を算出する算出手段と、
前記算出手段が算出した前記予測電力に基づいて消費電力の抑制を試行するように前記複数の電気機器のいずれか１つ以上に対して指示を行うことで、前記特定手段が特定した前記特徴に含まれる期間に応じて予め設定されている制御内容に従って前記複数の電気機器のうちの１以上の電気機器の消費電力を制御する電力制御手段と、を備える。
またさらに、本発明の第４の観点に係る電力制御装置は、
複数の電気機器を含む所定のシステムで消費される総消費電力を制御する電力制御装置であって、
前記複数の電気機器を利用するユーザの複数種の生活シーンの特徴と、前記複数種の生活シーンの特徴それぞれに対応付けられた、前記複数種の生活シーンそれぞれにおける総消費電力のパタンと、を記憶する記憶部と、
前記複数種の生活シーンの特徴のうち、１以上の所定の装置から供給される情報で表される特徴を特定する特定手段と、
前記特定手段が特定した前記特徴に対応付けて記憶された総消費電力のパタンに基づいて、前記特徴を有する生活シーンにおける前記総消費電力についての予測電力を算出する算出手段と、
前記算出手段が算出した前記予測電力に基づいて、前記複数の電気機器の少なくとも１つに対し、該複数の電気機器の少なくとも１つが決定する消費電力を抑制させる範囲において消費電力の抑制を試行する指示を送る電力制御手段と、を備える。
【０００９】
本発明の第５の観点に係る電力制御システムは、
消費電力の異なる複数種の運転モードを有する複数の電気機器と、
前記複数の電気機器を利用するユーザの複数種の生活シーンをそれぞれ特徴付ける期間を含む前記複数種の生活シーンの特徴と、前記複数種の期間それぞれに対応付けられた、前記複数種の期間それぞれにおける総消費電力のパタンと、を記憶する記憶部と、
前記複数種の生活シーンの特徴のうち、これから到来する期間を含み、かつ、１以上の所定の装置から供給される情報で表される特徴を特定する特定手段と、
前記記憶部から、前記特定手段が特定した前記特徴に含まれる期間に対応付けられた前記総消費電力のパタンを、前記これから到来する期間の前記総消費電力についての予測値として取得する予測値取得手段と、
前記総消費電力の現在値を取得する現在値取得手段と、
前記現在値取得手段が取得した前記現在値と前記予測値取得手段が取得した前記予測値とに基づいて、前記これから到来する期間における前記総消費電力についての予測電力を算出する算出手段と、
前記算出手段が算出した前記予測電力が閾値を超える場合、前記特定手段が特定した前記期間に応じて予め設定されている制御内容に従って、運転モードの変更により消費電力の抑制を試行するように指示する抑制指示を、前記複数の電気機器のうちの１つの電気機器又は複数の電気機器毎に送信する電力制御手段と、
前記抑制指示に基づく消費電力の抑制態様を前記電気機器から受信する受信手段と、を備え、
前記電力制御手段は、前記受信手段が受信した前記抑制態様に応じた処理をさらに行う。
また、本発明の第６の観点に係る電力制御システムは、
消費電力の異なる複数種の運転モードを有する複数の電気機器と、
前記複数の電気機器を利用するユーザの複数種の生活シーンをそれぞれ特徴付ける期間を含む前記複数種の生活シーンの特徴と、前記複数種の期間それぞれに対応付けられた、前記複数種の期間それぞれにおける総消費電力のパタンと、を記憶する記憶部と、
前記複数種の生活シーンの特徴のうち、これから到来する期間を含み、かつ、１以上の所定の装置から供給される情報で表される特徴を特定する特定手段と、
前記特定手段で特定された前記特徴に含まれる期間における発電装置の発電量を予測するとともに、車両に搭載された蓄電池の蓄電量を表す情報に基づいて、前記特定手段で特定された前記特徴に含まれる期間において前記蓄電池が充電又は放電する充放電電力を予測する予測手段と、
前記特定手段が特定した前記特徴に含まれる期間に対応付けて記憶された総消費電力のパタンに基づいて、前記特徴を有する生活シーンにおける前記総消費電力についての予測電力を算出する算出手段と、
前記予測手段が予測した前記発電量の予測値と、前記総消費電力についての予測電力と、に基づいて前記車両に搭載された蓄電池に対する充放電を制御するとともに、前記算出手段が算出した前記予測電力と、前記充放電電力の予測値と、前記発電量の予測値と、に基づいて、運転モードの変更により消費電力の抑制を試行するように指示を行う電力制御手段と、を備える。
さらに、本発明の第７の観点に係る電力制御システムは、
消費電力の異なる複数種の運転モードを有する複数の電気機器と、
前記複数の電気機器を利用するユーザの複数種の生活シーンをそれぞれ特徴付ける期間を含む前記複数種の生活シーンの特徴と、前記複数種の期間それぞれに対応付けられた、前記複数種の期間それぞれにおける総消費電力のパタンと、を記憶する記憶部と、
前記複数種の生活シーンの特徴のうち、これから到来する期間を含み、かつ、１以上の所定の装置から供給される情報で表される特徴を特定する特定手段と、
前記特定手段が特定した前記特徴に含まれる期間に対応付けて記憶された総消費電力のパタンに基づいて、前記特徴を有する生活シーンにおける前記総消費電力についての予測電力を算出する算出手段と、
前記算出手段が算出した前記予測電力に基づいて、運転モードの変更により消費電力の抑制を試行するように前記複数の電気機器のいずれか１つ以上に対して指示を行うことで、前記特定手段が特定した前記特徴に含まれる期間に応じて予め設定されている制御内容に従って前記複数の電気機器のうちの１以上の電気機器の消費電力を制御する電力制御手段と、を備える。
また、本発明の第８の観点に係る電力制御システムは、
消費電力の異なる複数種の運転モードを有する複数の電気機器と、
前記複数の電気機器を利用するユーザの複数種の生活シーンの特徴と、前記複数種の生活シーンの特徴それぞれに対応付けられた、前記複数種の生活シーンそれぞれにおける総消費電力のパタンと、を記憶する記憶部と、
前記複数種の生活シーンの特徴のうち、１以上の所定の装置から供給される情報で表される特徴を特定する特定手段と、
前記特定手段が特定した前記特徴に対応付けて記憶された総消費電力のパタンに基づいて、前記特徴を有する生活シーンにおける前記総消費電力についての予測電力を算出する算出手段と、
前記算出手段が算出した前記予測電力に基づいて、前記複数の電気機器の少なくとも１つに対し、該複数の電気機器の少なくとも１つが決定する消費電力を抑制させる範囲において消費電力の抑制を試行する指示を送る電力制御手段と、を備える。
【００１０】
本発明の第９の観点に係る電力制御プログラムは、
複数の電気機器を含む所定のシステムで消費される総消費電力を制御する電力制御プログラムであって、
コンピュータを、
前記複数の電気機器を利用するユーザの複数種の生活シーンをそれぞれ特徴付ける期間を含む前記複数種の生活シーンの特徴と、前記複数種の期間それぞれに対応付けられた、前記複数種の期間それぞれにおける総消費電力のパタンと、を記憶する記憶部、
前記複数種の生活シーンの特徴のうち、これから到来する期間を含み、かつ、１以上の所定の装置から供給される情報で表される特徴を特定する特定手段、
前記記憶部から、前記特定手段が特定した前記特徴に含まれる期間に対応付けられた前記総消費電力のパタンを、前記これから到来する期間の前記総消費電力についての予測値として取得する予測値取得手段、
前記総消費電力の現在値を取得する現在値取得手段、
前記現在値取得手段が取得した前記現在値と前記予測値取得手段が取得した前記予測値とに基づいて、前記これから到来する期間における前記総消費電力についての予測電力を算出する算出手段、
前記算出手段が算出した前記予測電力が閾値を超える場合、前記特定手段が特定した前記期間に応じて予め設定されている制御内容に従って、消費電力の抑制を試行するように指示する抑制指示を、前記複数の電気機器のうちの１つの電気機器又は複数の電気機器毎に送信する電力制御手段、
前記抑制指示に基づく消費電力の抑制態様を前記電気機器から受信する受信手段、として機能させ、
前記電力制御手段は、前記受信手段が受信した前記抑制態様に応じた処理をさらに行う。
また、本発明の第１０の観点に係る電力制御プログラムは、
複数の電気機器を含む所定のシステムで消費される総消費電力を制御する電力制御プログラムであって、
コンピュータを、
前記複数の電気機器を利用するユーザの複数種の生活シーンをそれぞれ特徴付ける期間を含む前記複数種の生活シーンの特徴と、前記複数種の期間それぞれに対応付けられた、前記複数種の期間それぞれにおける総消費電力のパタンと、を記憶する記憶部、
前記複数種の生活シーンの特徴のうち、これから到来する期間を含み、かつ、１以上の所定の装置から供給される情報で表される特徴を特定する特定手段、
前記特定手段で特定された前記特徴に含まれる期間における発電装置の発電量を予測するとともに、車両に搭載された蓄電池の蓄電量を表す情報に基づいて、前記特定手段で特定された前記特徴に含まれる期間において前記蓄電池が充電又は放電する充放電電力を予測する予測手段、
前記特定手段が特定した前記特徴に含まれる期間に対応付けて記憶された総消費電力のパタンに基づいて、前記特徴を有する生活シーンにおける前記総消費電力についての予測電力を算出する算出手段、
前記予測手段が予測した前記発電量の予測値と、前記総消費電力についての予測電力と、に基づいて前記車両に搭載された蓄電池に対する充放電を制御するとともに、前記算出手段が算出した前記予測電力と、前記充放電電力の予測値と、前記発電量の予測値と、に基づいて消費電力の抑制を試行するように前記複数の電気機器のいずれか１つ以上に対して指示を行う電力制御手段、として機能させる。
さらに、本発明の第１１の観点に係る電力制御プログラムは、
複数の電気機器を含む所定のシステムで消費される総消費電力を制御する電力制御プログラムであって、
コンピュータを、
前記複数の電気機器を利用するユーザの複数種の生活シーンをそれぞれ特徴付ける期間を含む前記複数種の生活シーンの特徴と、前記複数種の期間それぞれに対応付けられた、前記複数種の期間それぞれにおける総消費電力のパタンと、を記憶する記憶部、
前記複数種の生活シーンの特徴のうち、これから到来する期間を含み、かつ、１以上の所定の装置から供給される情報で表される特徴を特定する特定手段、
前記特定手段が特定した前記特徴に含まれる期間に対応付けて記憶された総消費電力のパタンに基づいて、前記特徴を有する生活シーンにおける前記総消費電力についての予測電力を算出する算出手段、
前記算出手段が算出した前記予測電力に基づいて消費電力の抑制を試行するように前記複数の電気機器のいずれか１つ以上に対して指示を行うことで、前記特定手段が特定した前記特徴に含まれる期間に応じて予め設定されている制御内容に従って前記複数の電気機器のうちの１以上の電気機器の消費電力を制御する電力制御手段、として機能させる。
また、本発明の第１２の観点に係る電力制御プログラムは、
複数の電気機器を含む所定のシステムで消費される総消費電力を制御する電力制御プログラムであって、
コンピュータを、
前記複数の電気機器を利用するユーザの複数種の生活シーンの特徴と、前記複数種の生活シーンの特徴それぞれに対応付けられた、前記複数種の生活シーンそれぞれにおける総消費電力のパタンと、を記憶する記憶部、
前記複数種の生活シーンの特徴のうち、１以上の所定の装置から供給される情報で表される特徴を特定する特定手段、
前記特定手段が特定した前記特徴に対応付けて記憶された総消費電力のパタンに基づいて、前記特徴を有する生活シーンにおける前記総消費電力についての予測電力を算出する算出手段、
前記算出手段が算出した前記予測電力に基づいて、前記複数の電気機器の少なくとも１つに対し、該複数の電気機器の少なくとも１つが決定する消費電力を抑制させる範囲において消費電力の抑制を試行する指示を送る電力制御手段、として機能させる。
【００１１】
本発明の第１３の観点に係る電力制御方法は、
複数の電気機器を含む所定のシステムで消費される総消費電力を制御する電力制御方法であって、
前記複数の電気機器を利用するユーザの複数種の生活シーンをそれぞれ特徴付ける期間を含む前記複数種の生活シーンの特徴のうち、これから到来する期間を含み、かつ、１以上の所定の装置から供給される情報で表される特徴を特定する特定ステップと、
前記特定ステップで特定した前記特徴に含まれる期間に対応付けて記憶部に記憶された前記期間における総消費電力のパタンを、前記これから到来する期間の前記総消費電力についての予測値として取得する予測値取得ステップと、
前記総消費電力の現在値を取得する現在値取得ステップと、
前記現在値取得ステップで取得した前記現在値と前記予測値取得ステップで取得した前記予測値とに基づいて、前記これから到来する期間における前記総消費電力についての予測電力を算出する算出ステップと、
前記算出ステップで算出した前記予測電力が閾値を超える場合、前記特定ステップで特定した前記期間に応じて予め設定されている制御内容に従って、消費電力の抑制を試行するように指示する抑制指示を、前記複数の電気機器のうちの１つの電気機器又は複数の電気機器毎に送信する電力制御ステップと、
前記抑制指示に基づく消費電力の抑制態様を前記電気機器から受信する受信ステップと、
前記受信ステップで受信した前記抑制態様に応じた処理をさらに行うステップと、を有する。
また、本発明の第１４の観点に係る電力制御方法は、
複数の電気機器を含む所定のシステムで消費される総消費電力を制御する電力制御方法であって、
前記複数の電気機器を利用するユーザの複数種の生活シーンをそれぞれ特徴付ける期間を含む前記複数種の生活シーンの特徴のうち、これから到来する期間を含み、かつ、１以上の所定の装置から供給される情報で表される特徴を特定する特定ステップと、
前記特定ステップで特定された前記特徴に含まれる期間における発電装置の発電量を予測するとともに、車両に搭載された蓄電池の蓄電量を表す情報に基づいて、前記特定ステップで特定された前記特徴に含まれる期間において前記蓄電池が充電又は放電する充放電電力を予測する予測ステップと、
前記特定ステップで特定した前記特徴に含まれる期間に対応付けて記憶部に記憶された、前記特徴を有する生活シーンにおける総消費電力のパタンに基づいて、前記生活シーンにおける前記総消費電力についての予測電力を算出する算出ステップと、
前記予測ステップで予測した前記発電量の予測値と、前記総消費電力についての予測電力と、に基づいて前記車両に搭載された蓄電池に対する充放電を制御するとともに、前記算出ステップで算出した前記予測電力と、前記充放電電力の予測値と、前記発電量の予測値と、に基づいて消費電力の抑制を試行するように前記複数の電気機器のいずれか１つ以上に対して指示を行う電力制御ステップと、を有する。
さらに、本発明の第１５の観点に係る電力制御方法は、
複数の電気機器を含む所定のシステムで消費される総消費電力を制御する電力制御方法であって、
前記複数の電気機器を利用するユーザの複数種の生活シーンをそれぞれ特徴付ける期間を含む前記複数種の生活シーンの特徴のうち、これから到来する期間を含み、かつ、１以上の所定の装置から供給される情報で表される特徴を特定する特定ステップと、
前記特定ステップで特定した前記特徴に含まれる期間に対応付けて記憶部に記憶された、前記特徴を有する生活シーンにおける総消費電力のパタンに基づいて、前記生活シーンにおける前記総消費電力についての予測電力を算出する算出ステップと、
前記算出ステップで算出した前記予測電力に基づいて消費電力の抑制を試行するように前記複数の電気機器のいずれか１つ以上に対して指示を行うことで、前記特定ステップが特定した前記特徴に含まれる期間に応じて予め設定されている制御内容に従って前記複数の電気機器のうちの１以上の電気機器の消費電力を制御する電力制御ステップと、を有する。
また、本発明の第１６の観点に係る電力制御方法は、
複数の電気機器を含む所定のシステムで消費される総消費電力を制御する電力制御方法であって、
前記複数の電気機器を利用するユーザの複数種の生活シーンの特徴のうち、１以上の所定の装置から供給される情報で表される特徴を特定する特定ステップと、
前記特定ステップで特定した前記特徴に対応付けて記憶部に記憶された、前記特徴を有する生活シーンにおける総消費電力のパタンに基づいて、前記生活シーンにおける前記総消費電力についての予測電力を算出する算出ステップと、
前記算出ステップで算出した前記予測電力に基づいて、前記複数の電気機器の少なくとも１つに対し、該複数の電気機器の少なくとも１つが決定する消費電力を抑制させる範囲において消費電力の抑制を試行する指示を送る電力制御ステップと、を有する。
【発明の効果】
【００１２】
本発明の電力制御装置、電力制御システム、電力制御プログラム、及び電力制御方法によれば、複数の電気機器の総消費電力が大きくなる前に電力消費を抑制できる。
【図面の簡単な説明】
【００１３】
【図１】本発明の実施形態１に係る電力制御システムの構成を示す概略図である。
【図２】図１の電力制御システムの電力制御装置の主な構成を示す構成図である。
【図３】図１の電力制御システムの電気機器の主な構成を示す構成図である。
【図４】本発明の実施形態１における総消費電力の履歴の一例を示す図である。
【図５】本発明の実施形態１におけるデータテーブル１の一例を示す図である。
【図６】本発明の実施形態１におけるデータテーブル２の一例を示す図である。
【図７】本発明の実施形態１における予測値の求め方を説明するための総消費電力の推移を示す図である。
【図８】本発明の実施形態１におけるデータテーブル３の一例を示す図である。
【図９】本発明の実施形態１における電力制御処理のフローチャートである。
【図１０】本発明の実施形態１における予測電力と閾値との関係を説明するための総消費電力の推移を示す図である。
【図１１】本発明の実施形態１における予測電力と閾値との関係を説明するための総消費電力の推移を示す図である。
【図１２】図９のフローチャートにおいて電力制御装置が開始する抑制指示送信処理の一例を表す詳細なフローチャートと、電気機器が実行する抑制指示応答処理の一例を表すフローチャートとを表す図である。
【図１３】本発明の実施形態１における予測電力と抑制電力との関係を説明するための総消費電力の推移を示す図である。
【図１４】本発明の実施形態１におけるデータテーブル５の一例を示す図である。
【図１５】発電装置で発電される発電電力の時間推移と複数の電気機器で消費される総消費電力の時間推移との関係の一例を示す図である。
【図１６】（Ａ）は、本発明の実施形態２における発電シーンテーブルの一例を示す図である。（Ｂ）は、本発明の実施形態２における発電パタンテーブルの一例を示す図である。
【図１７】本発明の実施形態２における生活シーンテーブルの一例を示す図である。
【図１８】本発明の実施形態２におけるＥＶ利用パタンテーブルの一例を示す図である。
【図１９】本発明の実施形態２におけるＥＶ利用予定テーブルの一例を示す図である。
【図２０】本発明の実施形態２における電気機器利用パタンテーブルの一例を示す図である。
【図２１】本発明の実施形態２における制御パタンテーブルの一例を示す図である。
【図２２】本発明の実施形態２において電力制御装置が実行する電力制御処理の一例を表すフローチャートである。
【図２３】本発明の実施形態２において電力制御装置が実行するＥＶ接続時電力制御処理の一例を表すフローチャートである。
【図２４】本発明の実施形態２において電力制御装置が実行する過充電解消処理の一例を表すフローチャートである。
【図２５】本発明の実施形態２において電力制御装置が実行する過放電解消処理の一例を表すフローチャートである。
【図２６】本発明の実施形態２において電力制御装置が実行する通常蓄電時処理の一例を表すフローチャートである。
【図２７】本発明の実施形態２において電力制御装置が実行する通常蓄電時処理の他部を表すフローチャートである。
【図２８】本発明の実施形態２において電力制御装置が実行するＥＶ非接続時電力制御処理の一例を表すフローチャートである。
【図２９】本発明の実施形態２におけるＥＶに搭載された蓄電池の蓄電率の時間推移の一例を表す図である。
【発明を実施するための形態】
【００１４】
以下、本発明の実施形態に係る電力制御システムについて図面を参照して説明する。
【００１５】
＜実施形態１＞
本発明の実施形態１に係る電力制御システム１は、所定の住居に構築されているシステムであり、図１のように、電力制御装置１０と、食器洗浄機２１と、ＩＨクッキングヒータ２２と、電子レンジ２３と、空調機２４と、換気扇２５と、電気給湯器２６と、テレビ２７と、ＨＧＷ（Home Gateway）３０と、電力センサ４０と、パワーコンディショナ５０と、分電装置６０と、を備える。
【００１６】
食器洗浄機２１と、ＩＨクッキングヒータ２２と、電子レンジ２３と、空調機２４と、テレビ２７とはそれぞれ家電機器である。換気扇２５と、電気給湯器２６とは、住居に設置されている設備機器である。本実施形態では、これら家電機器それぞれ及びこれら設備機器それぞれを適宜電気機器２０と呼ぶ。つまり、電力制御システム１は、電力制御装置１０及び複数の電気機器２０などを備える。
【００１７】
電力制御システム１は、蓄電池９６、発電装置９７、ＥＶ（Electric Vehicle：電気自動車）９８に搭載された蓄電池９８ａ、及び電力系統９９から電力を供給され、これら複数の電力源から供給された電力を分電装置６０において複数の電気機器２０に配分する。
【００１８】
電力系統９９から分電装置６０へ電力を供給する電力線Ｄｓ１の途中には、電力センサ４０が接続されている。分電装置６０とパワーコンディショナ５０とを接続する電力線Ｄは、発電装置９７で発電された電力又は蓄電池９６若しくはＥＶ９８の蓄電池９８ａから供給された電力をパワーコンディショナ５０から分電装置６０へ供給する電力線Ｄｓ２と、分電装置６０に供給された電力の内で、パワーコンディショナ５０に対して配分された電力を供給する電力線Ｄｍ１とで構成されている。このため、パワーコンディショナ５０は、コンセント等を介して電力線Ｄｍ１に接続され、接続された電力線Ｄｍ１からパワーコンディショナ５０の動作に必要な電力を供給される。
【００１９】
分電装置６０から電力制御装置１０、各電気機器２０、及びＨＧＷ３０のそれぞれに延びる電力線Ｄｍ２は、分電装置６０で電力制御装置１０などそれぞれに配分された電力を電力制御装置１０などそれぞれに供給する。このため、電力制御装置１０と、各電気機器２０と、ＨＧＷ３０とは、コンセント等を介して電力線Ｄｍ２にそれぞれ接続し、接続された電力線Ｄｍ２からそれぞれの動作に必要な電力を供給される。
【００２０】
電力制御装置１０と各電気機器２０とは、有線又は無線の機器制御ネットワークＮ１にそれぞれ接続される。電力制御装置１０は、各電気機器２０と、この機器制御ネットワークＮ１を介して通信し、各電気機器２０を制御する。
【００２１】
電力制御装置１０とＨＧＷ（Home Gateway）３０と電力センサ４０とパワーコンディショナ５０と分電装置６０とは、有線又は無線の宅内通信ネットワークＮ２にそれぞれ接続されている。電力制御装置１０は、ＨＧＷ３０、電力センサ４０、パワーコンディショナ５０、及び、分電装置６０と、宅内通信ネットワークＮ２を介して通信し、これらを制御する。尚、機器制御ネットワークＮ１と、宅内通信ネットワークＮ２とが１つのネットワークで構成されても良い。
【００２２】
ＨＧＷ３０は、インターネット等の外部ネットワークＮ３に接続されており、外部ネットワークＮ３と宅内通信ネットワークＮ２とのネットワークの違いを吸収する等の機能を有する装置である。インターネット等から供給される情報は、このＨＧＷ３０及び外部ネットワークＮ３を介して、電力制御装置１０に供給される。
【００２３】
電力センサ４０は、例えば、スマートメータを含んで構成される。電力センサ４０は、電力線Ｄｓ１に流れる電気についての電力（つまり、電力系統９９から供給される電力についての、電力制御システム１における総消費電力）を所定の間隔で計測するとともに、計測した総消費電力を表す情報を、宅内通信ネットワークＮ２を介して電力制御装置１０に供給する。これによって、総消費電力を表す情報が、所定の間隔で電力制御装置１０に順次供給される。計測される消費電力は、本実施形態では、例えば、計測時における瞬時電力であるが、消費電力は、前回の計測から今回の計測までの消費電力の累計等（消費電力量）であってもよい。また、所定の間隔は、本実施形態では、１０分にしているが、この間隔も当然これに限られない。
【００２４】
パワーコンディショナ５０は、分電装置６０、蓄電池９６、発電装置（例えば、太陽電池）９７、ＥＶ（Electric Vehicle；電気自動車）９８等に電力線で接続される。パワーコンディショナ５０は、電力制御装置１０の制御に従って、発電装置９７から蓄電池９６及びＥＶ９８にそれぞれに供給される電力量（つまり、発電電力量の内で蓄電池９６及び蓄電池９８ａに充電される電力量）、電力線Ｄｍ１を介して分電装置６０から蓄電池９６又はＥＶ９８に供給される電力量（つまり、電力系統９９から供給される電力量の内で蓄電池９６及び蓄電池９８ａに充電される電力量）、及び電力線Ｄｓ２を介して発電装置９７、蓄電池９６、又はＥＶ９８から分電装置６０に供給される電力量を制御する。
【００２５】
具体的には、パワーコンディショナ５０には、電力制御装置１０の制御のもと、発電装置９７が発電した電力が供給される。例えば、パワーコンディショナ５０は、電力制御装置１０の制御のもと、発電装置９７が発電した電力を適宜変換（昇圧、交流変換等）し、電力線Ｄｓ２を介して分電装置６０に供給する。また、例えば、総消費電力が発電装置９７の発電電力より高い場合などにおいて、パワーコンディショナ５０は、電力制御装置１０の制御のもと、発電装置９７が発電した電力だけでなく、蓄電池９６又はＥＶ９８の蓄電池９８ａから供給された電力を適宜変換（昇圧、交流変換等）し、電力線Ｄｓ２を介して分電装置６０に供給する。これに対して、例えば、総消費電力が発電装置９７の発電電力より低い場合であって、蓄電池９６及び蓄電池９８ａが蓄電可能な場合などにおいて、パワーコンディショナ５０は、発電装置９７から供給される電力を、適宜変換（昇圧等）して、蓄電池９６に供給して蓄電池９６を充電するか、ＥＶ９８に供給してＥＶ９８の蓄電池９８ａを充電する。尚、パワーコンディショナ５０は、電力制御装置１０の制御のもと、発電装置９７の発電量、蓄電池９６の蓄電量を計測して、これらの計測値を表す情報を電力装置１０に供給する。
【００２６】
分電装置６０は、分電盤を含んで構成され、制御部１０１の制御のもと、電力線Ｄｓ１によって供給される電力を調整すると共に、パワーコンディショナ５０及び電力系統９９からそれぞれ供給される電力を、電力制御装置１０、電気機器２０、ＨＧＷ３０、及びパワーコンディショナ５０に配分する。
【００２７】
図２のように、電力制御装置１０は、制御部１０１と、記憶部１０２と、表示部１０３と、第１通信部１０４と、第２通信部１０５と、カレンダ部１０６と、操作部１０７と、を備える。電力制御装置１０は、例えば、ＨＥＭＳ（Home Energy Management System）コントローラである。
【００２８】
制御部１０１は、電力制御装置１０全体を制御する。また、制御部１０１は、特定部１０１ａと、予測値取得部１０１ｂと、現在値取得部１０１ｃと、算出部１０１ｄと、電力制御部１０１ｅと、受信部１０１ｆと、予測部１０１ｇと、記録部１０１ｋと、受付部１０１ｌと、閾値変更部１０１ｍと、を備える。制御部１０１は、これらによって後述の処理を行う。
【００２９】
制御部１０１（上記各部１０１ａ〜１０１ｍ）は、例えば、記憶部１０２に記録されているプログラムに従って、制御部１０１が行う後述の処理を実際に行うＣＰＵ（Central Processing Unit）、ＣＰＵのメインメモリとして機能するＲＡＭ（Random Access Memory）等によって構成される。制御部１０１は、少なくとも一部がＡＳＩＣ（Application Specific Integrated Circuit）等の専用回路によって構成されてもよい。
【００３０】
記憶部１０２は、プログラム及びデータ等を記憶しているＲＯＭ（Read Only Memory）と、制御部１０１に参照されるデータテーブル等を記憶する不揮発性メモリ（フラッシュメモリ等）等との適宜の組み合わせによって構成される。記憶部１０２が記憶するデータ等については、後述する。
【００３１】
表示部１０３は、液晶ディスプレイ又は有機ＥＬ（Electro Luminescence）ディスプレイ等の各種ディスプレイによって構成され、制御部１０１の制御のもと、所定の画像を表示する。
【００３２】
第１通信部１０４は、機器制御ネットワークＮ１と接続され、制御部１０１が各電気機器２０と通信する仲立ちを行う。つまり、制御部１０１は、各電気機器２０と、第１通信部１０４を介して通信する。第１通信部１０４は、コネクタ等を含む通信装置によって構成される。
【００３３】
第２通信部１０５は、宅内通信ネットワークＮ２と接続され、制御部１０１がＨＧＷ３０、電力センサ４０、及びパワーコンディショナ５０と通信する仲立ちを行う。つまり、制御部１０１は、これらと、第２通信部１０５を介して通信する。第１通信部１０４は、コネクタ等を含む通信装置によって構成される。
【００３４】
カレンダ部１０６は、日付（曜日も含む）及び時刻を計時し、計時した日付及び時刻の情報を制御部１０１に供給する。カレンダ部１０６は、例えば、ＲＴＣ（Real-Time Crock）等の装置によって構成される。
【００３５】
操作部１０７は、各種の操作ボタン等を含んで構成され、ユーザからの操作に応じた操作情報を生成して、制御部１０１に供給する。
【００３６】
図３のように、各電気機器２０は、それぞれ、制御部２０１と、記憶部２０２と、各種要素２０３と、通信部２０４とを備える。
【００３７】
制御部２０１は、電気機器２０を制御し、特に後述の処理を行う。制御部２０１は、例えば、記憶部２０２に記録されているプログラムに従って、制御部２０１が行う後述の処理を実際に行うＣＰＵと、ＣＰＵのメインメモリとして機能するＲＡＭ等とによって構成される。制御部２０１は、少なくとも一部がＡＳＩＣ等の専用回路によって構成されてもよい。
【００３８】
記憶部２０２は、プログラム及びデータ等を記憶しているＲＯＭと、制御部２０１に参照されるデータテーブル等を記憶する不揮発性メモリ（フラッシュメモリ等）等との適宜の組み合わせによって構成される。
【００３９】
各種要素２０３は制御部２０１の制御のもとで動作するものであり、電気機器２０が何であるかによってその具体的内容は異なる。例えば、電気機器２０が食器洗浄機２１であれば、各種要素２０３は食器を洗浄する洗浄部を含み、電気機器２０がＩＨクッキングヒータ２２であれば、各種要素２０３は鍋等に渦電流を発生させることで加熱するコイルなどのヒータ部を含む。
【００４０】
制御部２０１が各種要素２０３を制御して動作させることによって、その電気機器２０は、家電機器としての動作を行う。また、制御部２０１は、後述の処理を行う。
【００４１】
通信部２０４は、機器制御ネットワークＮ１に接続され、制御部２０１が電力制御装置１０と通信する仲立ちを行う。つまり、制御部２０１は、通信部２０４を介して電力制御装置１０と通信する。
【００４２】
次に、電力制御装置１０の制御部１０１や、電気機器２０の制御部２０１が行う処理、電力制御装置１０の記憶部１０２や電気機器２０の記憶部２０２が記憶するデータテーブル等について説明する。
【００４３】
ここで、本実施形態においては、期間が設定される。この期間は、ユーザの生活リズム又は生活シーン等を想定して予め設定されているものであってもよいし、ユーザが電力制御装置１０の操作部１０７を操作して設定する（下記のデータテーブルに記録する）ものであってもよい。
【００４４】
本実施形態では、前記期間として、ユーザの生活シーンを特徴付ける冬（１１月から２月）の平日（祝祭日以外の月曜日から金曜日のいずれか）の朝（６時から１０時）、夏（７月から９月）の休日（土曜日も含む）の昼（１１時から１４時）、夏の休日の晩（１８時から２２時）が設定されている。このように期間は、複数種設定されている。前記の期間の区分け及び数等は、その実施態様によって適宜変更される。
【００４５】
また、本実施形態では、電力センサ４０から順次供給される総消費電力を表す情報が記憶部１０２に蓄積される（例えば、過去一ヶ月分が蓄積される）。これは、記録部１０１ｋによって行われる。記録部１０１ｋは、第２通信部１０５を介して前記総消費電力を表す情報を記録部１０１ｋに、総消費電力の履歴として、そのときの日付及び時刻を表す情報とともに、順次記録していく（図４参照）。尚、そのときの日付及び時刻とは、総消費電力が計測された日時（以下、計測日時という）をいい、記録部１０１ｋは、記録部１０１ｋが総消費電力を表す情報を取得すると、カレンダ部１０６から日時を表す情報を取得し、取得された情報の計測日時を表す情報とする。
【００４６】
また、記憶部１０２は、データテーブル１乃至データテーブル３を記憶する。
データテーブル１は、前記の複数種の期間を表す情報と、各期間の条件を表す情報とが互いに対応付けられて記録されたテーブルである（図５参照）。
【００４７】
データテーブル２は、前記の複数種の期間を表す情報と、各期間の予測値を表す情報とが対応付けられて記録されたテーブルである（図６参照）。予測値は、各期間における電力制御システム１の総消費電力についての予測値であり、ここでは、その期間における消費電力の最大の変化量（増加分を含む）のパタンである。つまり、この予測値は、その期間における最大総消費電力から、その期間以前における総消費電力を引いた値になっている（図７も参照）。この予測値は、経験則や平均的な家庭の期間毎の消費電力を考慮して予め設定されているか、過去の同じ期間における総消費電力から算出（つまり、過去の同じ種類の期間において計測された総消費電力を表す情報に基づいて学習）されたものであってもよい。
【００４８】
過去の同じ期間における総消費電力から予測値を算出する場合、例えば、記録部１０１ｋは、所定のタイミングで、記憶部１０２に記録された総消費電力の履歴を参照し、過去の同じ期間Ｐ１における最大の総消費電力Ａから、この期間Ｐ１の始期から一定期間遡った範囲Ｐ２内のタイミングにおける総消費電力の平均値Ｂを引いた消費電力の変化量を、その期間の予測値Ｃとして算出し（図７参照）、データテーブル１に記録する。また、例えば、記録部１０１ｋは、前記算出した予測値を複数の期間について算出し、算出した予測値の平均を取って、この平均値をその期間予測値としてデータテーブル１に記録してもよい。
【００４９】
データテーブル３は、前記の複数種の期間を表す情報と、各期間内に動作している可能性が高い電気機器２０（想定される動作機器）を表す情報と、各期間における制御内容を表す情報とが対応付けて記録されたテーブルである。制御内容は、各期間に応じて、予め決定されており、制御内容を表す情報は予めデータテーブル３に記録されている。制御内容は、各期間において、どのような電気機器２０が使用されるかを予め想定して決定される１以上の制御対象と制御タイミングとを示すものである。つまり、制御内容は、各期間においてユーザによって使用されると予想された１又は複数の電気機器２０の内から電力消費を抑制すると決定された電気機器２０と、電気機器２０の電力消費を抑制するタイミングとを１又は複数示すものである。換言すれば、制御内容は、消費電力を抑制したい電気機器２０と抑制のタイミング等とを１以上指定する。つまり、この制御内容で指定される電気機器２０について、指定されるタイミングで消費電力の抑制が試みられる。図８にデータテーブル３の一例を示す。なお、通常ユーザの生活パタンは決まっているので、同じ種の期間であれば、ユーザは、同じような行動、つまり、同じような電気機器２０を同じような使用方法で使用することが多い。本実施形態では、このような点に着目し、各種の期間について制御内容を決定している。
【００５０】
例えば、期間が「冬の平日の朝」である場合、ユーザは、この期間内に、空調機２４によって部屋を暖め、電子レンジ２３やＩＨクッキングヒータ２２によって朝食を作ることが想定される。このため、空調機２４とＩＨクッキングヒータ２２とを同時に使用すると、各電気機器２０の総消費電力が大きくなってしまう。よって、この期間における所定の時刻（ここでは、６時半）より前に、まず、ＩＨクッキングヒータ２２の消費電力を抑制し、所定の時刻の後に空調機２４の消費電力を抑制することで、両者の消費電力のピークをずらし、或る時刻においての総消費電力が大きくなってしまうことを防止する。このような制御を行うため、ここでの制御内容では、６時半以前である抑制タイミングには、消費電力を抑制したい電気機器２０としてＩＨクッキングヒータ２２を指定し、６時半以降である抑制タイミングには、消費電力を抑制したい電気機器２０として空調機２４を指定している。
【００５１】
例えば、期間が「夏の休日の昼」である場合、ユーザは、この期間内に、空調機２４によって部屋を冷房するとともに、昼食の用意のために、例えば、電子レンジ２３等を使用し、テレビを視聴することが想定される。この場合、空調機２４の消費電力を抑制するために、冷房の設定温度を上げたりすると、ユーザが不快に感じる場合もあるので、制御内容で電子レンジ２３を指定し、電子レンジ２３の消費電力を抑制することで、電子レンジ２３の調理の時間が多少長くなっても、冷房の設定温度を維持する。これによって、各電気機器２０の総消費電力を抑制する。
【００５２】
例えば、期間が「夏の休日の晩」である場合、ユーザは、この期間内に、空調機２４によって部屋を冷房するとともに、夕食の準備に、ＩＨクッキングヒータ２２を使用し、風呂等のために電気給湯器２６を使用し、テレビを視聴することが想定される。この場合、夏の晩は、気温も低くなってきていると考えられるので、空調機２４の消費電力を抑制するために、冷房の設定温度を上げることで、消費電力を抑制しても、それほどユーザが不快に感じることもないと考えられる。また、夏の晩は、入浴等に利用される湯量が比較的少ないので、制御内容で消費電力を抑制するように制御する対象として電気給湯器２６を指定する。つまり、これら空調機２４及び電気給湯器２６の消費電力を抑制することで、各電気機器２０の総消費電力を抑制する。
【００５３】
なお、このデータテーブル２の内容については、ユーザが操作部１０７を操作等することで操作部１０７から入力された情報に適宜変更可能である。特に、前記の制御内容については、ユーザが設定することで、その利便性を高めることができる。例えば、期間「夏の休日の晩」において、寝付きを良くするため、空調機２４に設定された設定温度を下げたくないと考える場合を例に挙げて説明する。この場合、ユーザは、操作部１０７を操作することで、期間「夏の休日の晩」を表す情報と、消費電力を抑制される対象として空調機２４が指定されていない制御内容を表す情報とを電力制御装置１０に入力する。その後、電力制御装置１０は、入力された期間を表す情報と制御内容を表す情報とを対応付けてデータテーブル２に記録する。この構成によれば、電力制御装置１０は、ユーザが消費電力の抑制対象から除外した空調機２４に対して消費電力の抑制制御を行わないが、ユーザが消費電力の抑制対象から除外していない電気機器２０に対して消費電力の抑制制御を実行するので、ユーザによる電気機器２０の利便性を低下させることを防止しながら電力制御システム１の総消費電力を抑制できる。
【００５４】
図２に示す電力制御装置１０の制御部１０１は、特定部１０１ａ等によって電力制御処理を行う。また、図３に示す電気機器２０の制御部２０１は、制御部１０１による電力制御処理の実行に伴って送信される消費電力の抑制指示に応答する処理を行う。これらの処理は、電力制御装置１０や各電気機器２０の動作開始と同時に開始され、電力制御装置１０や各電気機器２０が動作中に常に行われる。なお、図２に示す制御部１０１の記録部１０１ｋによる消費電力の履歴の記録は、この処理と並行して行われているものとする。
【００５５】
図９に示す電力制御処理の実行が開始されると、特定部１０１ａは、ステップＳ１０１において、図２のカレンダ部１０６を参照し、図５のデータテーブル１に記録されている期間が到来するかを判別する（ステップＳ１０１）。
【００５６】
例えば、特定部１０１ａは、カレンダ部１０６から供給される、現在の日付及び時刻の情報を取得し、取得した現在の日付及び時刻から所定時間経過後（例えば、１０分後）の時刻が、図５のデータテーブル１内の条件のいずれかに当てはまっているかについての検索を行う。当てはまっている条件があれば、その条件に対応付けられている期間を、これから到来する期間として特定する。前記期間が特定されると、前記所定時間経過後にその期間が到来することになるので、特定部１０１ａは、データテーブル１に記録されている期間が到来すると判別する（ステップＳ１０１；ＹＥＳ）。本実施形態では、このようにして、特定部１０１ａは、カレンダ部１０６から供給される現在の日付及び時刻の情報に基づいて、設定されている複数種の期間のうちから、これから到来する期間を特定する。例えば、現在の時刻が１１月１６日の水曜日で、時刻が午前５時５０分であれば、特定部１０１ａは、期間として「冬の平日の朝」を特定して、データテーブル１に記録されている期間が到来すると判別する。
【００５７】
一方、もし、前記期間が特定されないと、特定部１０１ａは、前記期間が到来していないと判別し（ステップＳ１０１；ＮＯ）、ステップＳ１０１の処理を再び行う。つまり、制御部１０１は、データテーブル１に記録されている期間が近い将来到来するまで待機することになる。
【００５８】
特定部１０１ａがステップＳ１０１でＹＥＳと判別すると、予測値取得部１０１ｂは、図６のデータテーブル２を参照し、特定部１０１ａが特定した、前記これから到来する期間をキーにして、この期間に対応する総消費電力の変化量の予測値を記憶部１０２から取得する（ステップＳ１０２）。例えば、特定部１０１ａによって、「冬の平日の朝」が特定されたとすると、予測値取得部１０１ｂは、図６のデータテーブル２において、これに対応付けられている予測値としてＸ［ｋＷ］を取得する。本実施形態では、このようにして、予測値取得部１０１ｂは、記憶部１０２から、特定部１０１ａが特定した前記の期間に対応付けられたパタンを、これから到来する期間の総消費電力の変化量の予測値として取得する。
【００５９】
予測値取得部１０１ｂが予測値を取得すると、現在値取得部１０１ｃは、電力系統９９から供給される電力についての、電力制御システム１における総消費電力の現在値を取得する（ステップＳ１０３）。例えば、現在値取得部１０１ｃは、カレンダ部１０６から供給される時刻等から前記所定時間の経過を待ち（つまり、前記で特定された期間が開始するのを待ち）、そのとき（例えば、前記の開始直前）において、記憶部１０２に記録された総消費電力の履歴を参照し、前記で特定された期間（図１０及び図１１のＰ３参照）の始期から一定期間（例えば、３０分）遡った範囲（図１０及び図１１のＰ４参照）内のタイミングにおける総消費電力の平均値を、総消費電力の現在値として算出することによって、総消費電力の現在値を取得する。なお、総消費電力の現在値は、例えば、その時点、又は、前記所定時間の経過を待ったときの最新の総消費電力であってもよい。この場合、現在値取得部１０１ｃは、この最新の総消費電力を記憶部１０２又は第２通信部１０５から現在値として取得する。
【００６０】
現在値取得部１０１ｃが総消費電力の現在値を取得すると、算出部１０１ｄは、現在値取得部１０１ｃが取得した総消費電力の現在値と予測値取得部１０１ｂが取得した総消費電力の変化量の予測値とに基づいて、前記で特定された期間における総消費電力についての予測電力（例えば、総消費電力の予測値）を算出する（ステップＳ１０４）。
【００６１】
例えば、予測電力は、総消費電力の現在値と総消費電力の変化量の予測値の和である（図１０及び図１１参照）。なお、図１０及び図１１は、今回到来する期間（前記で特定された期間）Ｐ３前後における、電力系統９９から供給される電力についての、電力制御システム１における総消費電力の推移の例を示す図である。以下、到来する期間を、単に、期間Ｐ３と呼ぶ。また、一点鎖線は、予測値のみに基づいて、予想された総消費電力の推移を表す線であり、実際にはどのように消費電力が推移するかは分からない。算出部１０１ｄは、現在値と予測値とを足し合わせて予測電力を算出する。予測値は、その期間における最大増加分の量であるので、総消費電力の現在値と予測値を足し合わせた値は、この期間Ｐ３での最大消費電力になると予測される値になる。つまり、本実施形態での予測電力とは、この期間Ｐ３での最大の総消費電力になるであろうと予測される値である。
【００６２】
上記のように、通常ユーザの生活パタンは決まっているので、同じ期間であれば、ユーザは、同じような電気機器２０を同じような使用方法で使用することが多い。このため、総消費電力の増加分も同じ期間で同様になる可能性が高い。本実施形態では、このような点に着目し、総消費電力の変化量の予測値を設定するので、期間Ｐ３での最大消費電力を精度良く予測出来る。
【００６３】
図９のステップＳ１０４において、算出部１０１ｄが予測電力を算出すると、電力制御部１０１ｅは、算出部１０１ｄが算出した予測電力が、電力系統９９から供給される電力について予め定められた、電力制御システム１における総消費電力についての閾値を超えるか否かを判別する（ステップＳ１０５）。この閾値は、電力系統９９についての総消費電力がこの値を超えると、分電装置６０のブレーカが落ちる、消費電力が大きくなりすぎる等の不都合が生じるような値、又はこの値から所定の余裕を考慮した値等であり、この判断の時点では、予め設定されている（例えば、記憶部１０２に記録されている）。
【００６４】
電力制御部１０１ｅは、予測電力が閾値を超えない（図１０の場合）と判別した場合（ステップＳ１０５；ＮＯ）、ステップＳ１０８の処理を行う。この場合、期間Ｐ４における総消費電力が小さいので、期間Ｐ３（特定部１０１ａが特定した期間）において、前記のように想定した電気機器２０の使用の仕方がなされても、総消費電力が閾値を超えないので、問題無いと予測されるからである。
【００６５】
一方、電力制御部１０１ｅは、予測電力が閾値を超える（図１１の場合）と判別した場合（ステップＳ１０５；ＹＥＳ）、図８のデータテーブル３を参照して、特定部１０１ａが特定した期間をキーとして、この期間に対応する制御内容を表す情報を記憶部１０２から取得する（ステップＳ１０６）。例えば、特定部１０１ａが期間「冬の平日の朝」を特定している場合、「６時半以前；ＩＨクッキングヒータ、６時半以降；空調機」という制御内容を表す情報を取得する。
【００６６】
電力制御部１０１ｅは、制御内容を表す情報を取得すると、この情報で表される制御内容に従って、電気機器２０の消費電力を抑制するように、電気機器２０に対する制御を開始する（ステップＳ１０７）。この場合、期間Ｐ４における、電力系統９９から供給される電力についての、電力制御システム１における総消費電力が大きく、期間Ｐ３において、前記のように想定した電気機器２０の使用の仕方がなされると、総消費電力が閾値を超えるので、分電装置６０のブレーカが落ちる、総消費電力が大きくなりすぎる等の不都合が生じる可能性が高く、これを抑制するためである。
【００６７】
ここで、ステップＳ１０７で開始される電気機器２０に対する制御処理（以下、抑制指示送信処理という）、及び、この制御に応じて電気機器２０の制御部２０１が行う処理（以下、抑制指示応答処理という）について、図１２等を参照して説明する。なお、電気機器２０は、この処理を電源のＯＮから開始するものとする。
【００６８】
図１２の抑制指示送信処理を開始すると、電力制御装置１０の電力制御部１０１ｅは、抑制指示送信処理の終了であるかを判別する（ステップＳ２０１）。例えば、電力制御部１０１ｅは、図９のステップＳ１０６で取得された制御内容が指定する制御が全て終了している場合（一度行われた制御は、再度行われないものとする）、現在到来している期間Ｐ３において再度抑制指示を出すことはないので、抑制指示を終了すると判別して（ステップＳ２０１；ＹＥＳ）、この処理を終了する。
【００６９】
一方、電力制御部１０１ｅは、制御内容が指定する制御が全て終了していない場合、抑制指示のタイミングであるかを判別する（ステップＳ２０２）。例えば、電力制御部１０１ｅは、カレンダ部１０６から供給される情報で表される現在の時刻が、制御内容が指定する制御であって、未だ行われていない制御における抑制タイミングと合致しているかを判別し、全ての制御に対して抑制タイミングと合致していなければ、未だ抑制指示のタイミングでないと判別し（ステップＳ２０２；ＮＯ）、ステップＳ２０１の処理を再び行う。このようにして、電力制御部１０１ｅは、次の抑制指示のタイミングまで待機する。
【００７０】
一方、電力制御部１０１ｅは、例えば、カレンダ部１０６から供給される情報で表される現在の時刻が、制御内容が指定する制御であって、未だ行われていない制御における抑制タイミングと合致している場合、抑制指示のタイミングであると判別し（ステップＳ２０２；ＹＥＳ）、その合致している抑制タイミングに対応する電気機器２０に、消費電力の抑制指示を出す（ステップＳ２０３）。
【００７１】
例えば、制御内容が、図８のデータテーブル３の、「６時半以前；ＩＨクッキングヒータ、６時半以降；空調機」であり、現在の時刻が６時である場合、現在の時刻は、６時半以前という抑制タイミングに合致しているので、電力制御部１０１ｅは、これに対応する電気機器２０であるＩＨクッキングヒータ２２を特定する。なお、抑制タイミングの指定が無い電気機器２０については（例えば、図８のデータテーブル３の「電子レンジ」等）、最初に特定される（つまり、当該電気機器２０の抑制タイミングを、図９のステップＳ１０１で到来すると判別された期間の開始時刻とする）。また、合致する抑制タイミングが複数ある場合には、それぞれの合致する抑制タイミングに対応した複数の電気機器２０が特定される（例えば、図８のデータテーブル３の「空調機、電気給湯器」等）。電力制御部１０１ｅは、特定した電気機器２０に消費電力の抑制値を表す情報を供給（送信）する。
【００７２】
電力制御部１０１ｅは、算出部１０１ｄが算出した予測電力から閾値を引いた値、又は、余裕を取るためにその値に所定値を加えた値等を消費電力の抑制値として算出する。電力制御部１０１ｅは、この抑制値を前記で特定した電気機器２０に供給する。抑制値を表す情報は、第１通信部１０４及び機器制御ネットワークＮ１を介して電気機器２０に供給される。これによって、抑制値を表す情報が電気機器２０に供給されたことになる。
【００７３】
なお、電気機器２０が複数特定された場合には、抑制値をその数で割った値を第１の抑制指示としてそれぞれ電気機器２０に供給するか、例えば、予め設定された重み付け（例えば、データテーブル３の制御内容に含まれているものとする）に従って、抑制値を各電気機器２０に振り分けて、各抑制値を各第１の抑制指示として各電気機器２０に供給する。
【００７４】
一方、図１２の抑制指示応答処理を開始した電気機器２０の制御部２０１は、通信部２０４を介して、電力制御装置１０から抑制値を表す情報を受け取ったか否かを判別する（ステップＳ３０１）。抑制値を表す情報を受け取っていない場合（ステップＳ３０１；ＮＯ）、制御部２０１は、再びステップＳ３０１の処理を行う。制御部２０１は、抑制値を表す情報を受け取るまで待機することになる。
【００７５】
制御部２０１は、抑制値を表す情報を受け取った場合（ステップＳ３０１；ＹＥＳ）、この情報で表される抑制値に従って、図３の各種要素２０３を制御し、消費電力の抑制を試みる（ステップＳ３０２）。
【００７６】
ここで、記憶部２０２には、この制御で参照されるデータテーブルが記録されている。このデータテーブルは、抑制できる消費電力の値の範囲（例えば、０．１ｋＷ〜０．２ｋＷ等）と、この抑制できる消費電力を得るための各種要素２０３の制御方法と、が対応付けられたテーブルである。制御方法は、電気機器２０が何であるかによって異なる。制御方法は、例えば、電気機器２０がＩＨクッキングヒータ２２であれば、省エネモードへの移行、最大消費電力の抑制（２．５ｋＷから２．０ｋＷへの抑制）等がある。制御方法は、空調機２４では、設定温度を暖房であれば１℃下げ、冷房であれば１℃上げる、省エネモードの移行、冷房又は暖房能力の変更等がある。
【００７７】
このデータテーブル４の消費電力の値の範囲は、記憶部２０２に予め記録して固定とするか、制御部２０１が、各種要素２０３をデータテーブル４の各制御方法で動作させたときに消費電力を測定し、測定した消費電力を履歴として記憶部２０２に記録しておき、この消費電力の履歴に基づいて前記の範囲を算出してもよい。例えば、同じ制御方法における最大消費電力の平均値±所定値を前記の範囲としてもよいし、同じ制御方法における最大消費電力の中の、最大値及び最小値の範囲を前記の範囲としてもよい。また、一度、前記の範囲を算出した後は、各制御方法を行うたびに加重平均等によって前記の範囲を修正してもよい。
【００７８】
制御部２０１は、データテーブル４を参照し、抑制値をキーにして、この抑制値が入る範囲に対応する制御方法を特定して記憶部２０２から取得し、取得した制御方法で各種要素２０３を制御する（例えば、設定温度を１℃上げる等）。なお、制御部２０１は、複数の制御方法を特定した場合には、そのうちの前記範囲の最大値がもっとも大きい制御方法を特定する（もし最大値が同じであれば、例えば、ランダムに選択する。）。
【００７９】
図１２のステップＳ３０２の後に、制御部２０１は、前記の制御方法で各種要素２０３を制御した後、制御の前後で実際に抑制できた消費電力（以下、抑制電力という）を算出し、通信部２０４及び機器制御ネットワークＮ１を介して電力制御装置１０に供給（返信）し（ステップＳ３０３）、ステップＳ３０１の処理から上記処理を繰り返す。
【００８０】
なお、各種要素２０３の動作態様によっては、前記の制御方法で各種要素２０３を制御出来ない場合がある（例えば、ＩＨクッキングヒータ２２において加熱調理中）。この場合、制御部２０１は、抑制電力を０として、この抑制電力を電力制御装置１０に供給する。なお、制御部２０１は、前記の制御方法で各種要素２０３を制御出来るようになってから（つまり、制御できるようになるまで待ってから）、前記の制御方法で各種要素２０３を制御してもよい。
【００８１】
上記のような制御部２０１の動作は、抑制値を表す情報が供給された電気機器２０全てについて行われる。
【００８２】
電力制御装置１０に供給された、抑制電力を表す情報は、第１通信部１０４を介して受信部１０１ｆで受信される。電力制御部１０１ｅは、図１２のステップＳ２０３の後に、受信部１０１ｆが抑制電力を表す情報（複数の電気機器２０に抑制値を供給した場合には、全ての電気機器２０からの抑制電力を表す情報）を受信すると、この情報で表される抑制電力（複数の電気機器２０から抑制電力を表す情報が供給された場合にはそれらの情報で表される抑制電力の合算値）が、前記抑制値以上になっているか判別する（ステップＳ２０４）。抑制電力が抑制値以上になっている場合、期間Ｐ３における最大消費電力は、閾値以下になる可能性が高い（図１３参照）。これによって、分電装置６０のブレーカが落ちる、消費電力が大きくなりすぎる等の不都合が生じることを防ぐことが可能になる。
【００８３】
電力制御部１０１ｅは、抑制電力が抑制値以上になっている場合（ステップＳ２０４；ＹＥＳ）、ステップＳ２０１に戻り上記処理を繰り返す。この後、制御内容が指定する制御がまだ残っていれば、残っている制御が再び行われる。
【００８４】
一方、電力制御部１０１ｅは、抑制電力が抑制値未満の場合（ステップＳ２０４；ＮＯ）、抑制値から抑制電力を引いた値を新たな抑制値として算出し、算出した新たな抑制値を表す情報を他の電気機器２０（ステップＳ１０８で抑制値を表す情報を供給していない電気機器２０）に供給する（ステップＳ２０５）。新たな抑制値を表す情報を供給する電気機器２０は、電力制御部１０１ｅによって、所定の規則に基づいて１以上選別されるか（例えば、データテーブル３において利用が想定されている主な機器を選択するか）、ランダムに１以上選別される。
【００８５】
ステップＳ２０５の処理についての説明は、ステップＳ２０３と同様である。また、新たな抑制値を表す情報が供給された他の電気機器２０が備える制御部２０１の動作についてもステップＳ３０１乃至ステップＳ３０３の処理と同様であるので詳細な説明を省略する。これによって、他の電気機器２０から新たな抑制電力を表す情報が供給される。
【００８６】
電力制御装置１０に供給された、新たな抑制電力を表す情報は、第１通信部１０４を介して受信部１０１ｆで受信される。電力制御部１０１ｅは、新たな抑制電力を表す情報（全ての新たな抑制電力を表す情報）を受信すると、受信された情報で表される抑制電力（受信された複数の情報でそれぞれ表される全て抑制電力の合算値）が、前記抑制値以上になっているか判別する（ステップＳ２０６）。この合算値が抑制値以上になっている場合、上記同様、期間Ｐ３における最大消費電力は、閾値以下になる可能性が高い。これによって、分電装置６０のブレーカが落ちる、消費電力が大きくなりすぎる等の不都合が生じることを防ぐことが可能になる。
【００８７】
電力制御部１０１ｅは、抑制電力の合算値が抑制値以上になっている場合（ステップＳ２０６；ＹＥＳ）、ステップＳ２０１に戻り上記処理を繰り返す。この後、制御内容が指定する制御がまだ残っていれば、残っている制御が再び行われる。
【００８８】
一方、電力制御部１０１ｅは、抑制電力の合算値が抑制値未満の場合（ステップＳ２０６；ＮＯ）、期間Ｐ３における最大の総消費電力は、閾値を超える可能性が高い旨（つまり、電力系統９９からの電力の消費量が大きい旨）を表示部１０３等に表示して（ステップＳ２０７）、ユーザにこのことを報知又は警告する。なお、電力制御部１０１ｅは、表示部１０３以外の他の図示しない報知部、又は、例えば、スピーカを含んで構成される音声出力部によって、このことを報知してもよい。これらによって、ユーザに注意喚起が出来、消費電力の抑制が促される。なお、上記ステップＳ２０５及びステップＳ２０６の処理は省略されてもよい。この場合には、意図しない電気機器２０の消費電力の抑制が防止される。
【００８９】
ステップＳ２０７の処理の後、電力制御部１０１ｅは、ステップＳ２０１に戻り上記処理を繰り返す。この後、制御内容が指定する制御がまだ残っていれば、残っている制御が再び行われる。
【００９０】
なお、電力制御部１０１ｅは、適宜のタイミングで、現在の時刻が過去に制御したものについての抑制タイミングに初めて該当していない時刻になっているかも判別する（つまり、時刻が、現在行われている消費電力の抑制制御における実行終了時刻を超えたか否かを判別する）。もし、該当していない（つまり、時刻が実行終了時刻を超えた）と判別した場合には、その制御対象になっている電気機器２０に対して電力の抑制の解除の指示を供給する。この解除の指示も、第１通信部１０４及び機器制御ネットワークＮ１を介して電気機器２０に供給される。例えば、制御内容が、図８のデータテーブル３の、「６時半以前；ＩＨクッキングヒータ、６時半以降；空調機」であり、現在の時刻が６時半よりも後である場合、現在の時刻は６時半以前という抑制タイミングに合致しなくなっているので、電力制御部１０１ｅは、これに対応する電気機器２０であるＩＨクッキングヒータ２２を特定し、これに前記の解除の指示を供給する。
【００９１】
電気機器２０の制御部２０１は、通信部２０４を介して前記解除の指示を受信すると、前記の制御方法で制御する前の状態になるように、各種要素２０３を制御する。例えば、制御方法が設定温度を１℃上げるであった場合には、制御部２０１は設定温度を１℃下げる。このようにすることで、図８のデータテーブル３の、「６時半以前；ＩＨクッキングヒータ、６時半以降；空調機」が制御内容である場合、両者の消費電力のピークをずらすことが出来、総消費電力の最大値を抑制できる。
【００９２】
図９のステップＳ１０７の後に、電力制御部１０１ｅは、期間Ｐ３が経過するまで待機する（ステップＳ１０８）。そして、期間Ｐ３が経過すると、期間Ｐ３の終了を各電気機器２０に通知する（ステップＳ１０９）。そして、ステップＳ１０１に戻り上記処理が特定部１０１ａによって繰り返される。尚、前記通知は、第１通信部１０４及び機器制御ネットワークＮ１を介して行われる。電気機器２０の制御部２０１は、通信部２０４を介して前記通知を受信すると、前記の制御方法で制御する前の状態になるように、各種要素２０３を制御する。例えば、制御方法が設定温度を１℃上げるであった場合には、制御部２０１は設定温度を１℃下げる。これによって、期間Ｐ３における総消費電力の抑制が解除されることになる。
【００９３】
本実施形態では、上記のように、通常ユーザの生活パタンは決まっているので、同じ種類の期間であれば、ユーザは、同じような電気機器２０を同じような使用方法で使用することが多い。このため、総消費電力の増加分も同じ種類の期間で同様になる可能性が高い。本実施形態では、このような点に着目し、総消費電力についての予測値が前記期間に応じて設定されているので、総消費電力の現在値と期間Ｐ３における総消費電力の変化量の予測値とに基づく期間Ｐ３での最大消費電力（予測電力）を精度良く予測出来る。そして、期間Ｐ３が到来する前の総消費電力（つまり現在値）が高いことによって、この最大消費電力の予測値が閾値を超える場合に、総消費電力を抑制するように電気機器２０が制御されるので、複数の電気機器２０の総消費電力が大きくなる前に電力消費を抑制できる。特に、分電装置６０のブレーカが落ちる、総消費電力が大きくなりすぎる等の不都合が生じることが精度良く防止される。そして、総消費電力が大きくなりすぎることを防止することで、省エネ効果も期待出来る。
【００９４】
また、本実施形態では、上記の処理によって、電力制御部１０１ｅは、特定部１０１ａが特定した期間に応じて予め設定されている制御内容に従って、消費電力を抑制する指示である抑制指示（抑制値）を、複数の電気機器２０のうちの１つの電気機器２０又は複数の電気機器２０毎に送信する。そして、電気機器２０は、抑制指示を受信すると、指示に基づく消費電力の抑制態様（抑制電力）を自身の動作状況に基づいて特定し、特定した前記抑制態様を前記電力制御装置に送信する。そして、電力制御部１０１ｅは、受信部１０１ｆが受信した前記抑制態様に応じた（例えば、抑制態様と抑制指示との比較結果に応じた）、処理（新たな抑制指示及び又は報知）を行う。
【００９５】
これによって、例えば、消費電力の抑制がうまくいかなかった場合でも、適切な処理が行われることになる。そして、電気機器２０側は、消費電力の抑制を必ず行う必要がないため、電気機器２０はその動作態様によって、消費電力の抑制を行わなくてもよい。このため、ユーザが、電気機器２０を使用しているときに、消費電力が抑制されることによる不便さ（例えば、空調機２４の設定温度が上がるか下がってしまう。ＩＨクッキングヒータ２２の調理温度が下がる等）が抑制される。つまり、上記構成によって、省電力によって生じうる不便さを抑制しながら省エネを試みることが出来ることになる。特に、上記では、電気機器２０は、消費電力の抑制が出来なかった場合に、その旨の情報（上記では、抑制電力が０である情報）を電力制御装置１０に供給することができるので、前記の不便さが抑制される。また、新たな抑制指示（抑制値）を送信する場合、最初の総消費電力の抑制に失敗したときでも、他の電気機器２０によって、総消費電力を抑制できるので、総消費電力を適切に制御することが出来る。
【００９６】
また、上記のように、予測値は、過去の前記総消費電力に基づいたものであれば、この予測値はユーザの行動パタン等により合致したものになるので、予測電力を精度良く予測出来、総消費電力を適切に制御することが出来る。
【００９７】
また、本実施形態では、上記のような処理によって、電力制御部１０１ｅは、特定部１０１ａが特定した期間に応じて予め設定されている制御内容に従って複数の電気機器２０のうちの１以上の電気機器の消費電力を制御することにより総消費電力を制御する。これによって、制御内容を前記の期間に応じたユーザの行動に沿ったものにすることができ（データテーブル３の説明参照）、上記同様、省電力によって生じうる不便さを抑制しながら省エネを試みることが出来ることになる。
【００９８】
また、記憶部１０２は、データテーブル５を記憶している。このデータテーブル５は、図１４に示すように、前記の期間ごとに、天気と、発電量の予測値と、が対応付けて記録されたテーブルである。なお、発電量の予測値は、消費電力と同じ扱いで、本実施形態では瞬時値であるが、前記消費電力と同じ期間における累積値であってもよい。発電量の予測値は、その期間及びその天気において予測される発電量である。
【００９９】
なお、発電量の予測値は、記録部１０１ｋによって記録されたものであってもよい。例えば、記録部１０１ｋは、パワーコンディショナ５０から発電装置９７の発電量を表す情報をリアルタイムで供給させるとともに、ＨＧＷ３０を介してインターネット等から現在の気候情報をリアルタイムで供給させる。記録部１０１ｋは、宅内通信ネットワークＮ２及び第２通信部１０５を介して、パワーコンディショナ５０から発電量を表す情報を取得し、ＨＧＷ３０から気候情報を取得する。これとともに、記録部１０１ｋは、カレンダ部１０６から供給される日付及び時刻の情報を取得する。記録部１０１ｋは、取得したこれら情報に基づいて、前記の期間における時間帯毎、かつ、気候情報で特定される気候毎に、例えば、発電量の平均値を取り、この平均値を予測値とするデータテーブル５を作成してもよい。また、これ以降も、記録部１０１ｋは、発電量を加重平均等して、発電量の予測値を適宜更新してもよい。
【０１００】
予測部１０１ｇは、カレンダ部１０６を参照し、特定部１０１ａが特定した期間が到来する際に、ＨＧＷ３０を介して外部ネットワークＮ３から現在の気候情報を取得する。この気候情報は、宅内通信ネットワークＮ２及び第２通信部１０５を介して取得される。
【０１０１】
そして、予測部１０１ｇは、前記の気候情報及び前記期間をキーとして、これらに対応付けられた発電量の予測値を記憶部１０２から取得する。予測部１０１ｇが発電量の予測値を取得すると、電力制御部１０１ｅは、この発電量の予測値に基づいて、例えば、図９のステップＳ１０５の処理を行う前等に、前記の閾値を増加させたり（例えば、閾値に対して発電量の予測値を加える）、抑制値を減少させたりすることによって（例えば、抑制値から発電量の予測値を減じる）、総消費電力をさらに制御する。発電装置９７が発電した電力を各電気機器２０等で使用する事が出来る場合には、電力系統９９からの電力の消費量が抑えられる。従って、このような場合には、不必要に電気機器２０に消費電力を抑制させる必要がない。そして、前記の制御によって、消費電力の抑制量は低減されるので、不必要に電気機器２０に消費電力を抑制させることがなくなる。
【０１０２】
また、電力制御部１０１ｅは、パワーコンディショナ５０から電力を供給させるとともに、分電装置６０を制御し、パワーコンディショナ５０からの電力を各電気機器２０に優先的に供給させる。これによって、電力系統９９からの電力の消費量が抑えられる。また、電力制御部１０１ｅは、例えば、前記の予測値が所定基準よりも大きく、ユーザが操作部１０７を操作し、この操作に応じた操作信号が供給された等の所定の条件を満たしたときに、上記総消費電力の制御処理等を停止し、パワーコンディショナ５０からの電力を各電気機器２０に優先的に供給させてもよい。
【０１０３】
また、例えば、電力系統９９から電力を供給する電力会社等の外部から、外部ネットワークＮ３を介して消費電力量を指示する情報が送信されることによって、消費電力量が指定されることがある。この情報は、ＨＧＷ３０及び宅内通信ネットワークＮ２を介して、電力制御装置１０に供給される。電力制御装置１０の受付部１０１ｆは、第２通信部１０５を介して前記情報を受信する（つまり、前記の指定を受け付ける）。閾値変更部１０１ｍは、受付部１０１ｆが受け付けた指定の消費電力量に応じて閾値を変更する。ここでは、この消費電力量を、閾値に置き換える。これによって、電力会社等の外部の要求に応答して、総消費電力の抑制量を変更出来ることになる。
【０１０４】
なお、本発明は、上記実施形態に限定されず、本発明の要旨を逸脱しない範囲での種々の変更は勿論可能である。
【０１０５】
例えば、前記の期間は、気候によっても区分けされても良い。例えば、同じ夏の休日の昼間でも、気温によって、暑い（例えば２７℃以上）の夏の休日の昼間と、涼しい（例えば２７℃未満）の夏の休日の昼間と、を設定してもよい。ユーザは、暑い日と涼しい日で行動が異なる可能性があるので、これによってデータテーブル３の制御内容を異ならせてもよい。このように、気候によって、より的確な総消費電力の制御が可能になる。
【０１０６】
前記の期間として、ユーザが外出したときを期間としてもよい。この場合、特定部１０１ａは、図示しない人感センサ等（例えば電子制御装置１０が備えるものとする）を用いて、一定期間以上、人間の存在を検出できないときに、これから到来する期間が、ユーザが外出した期間であると特定する。これによって、ユーザの外出用の制御内容を用意でき、的確な総消費電力の制御が可能になる。
【０１０７】
また、総消費電力は、コンセントや電気機器２０毎の消費電力の合算値として扱われても良い。この場合には、予測値と現在値とによって予測電力を算出するときに、コンセントや電気機器毎の消費電力について計算して、前記予測電力を算出してもよい。また、この場合、制御部１０１は、各電気機器２０か電力センサ４０と通信することによって、コンセントや電気機器２０毎の消費電力を取得する。
【０１０８】
また、総消費電力は、複数の電気機器２０のみの総消費電力であってもよい。この場合、電力センサ４０は、これらの総消費電力を計測等できるものとする。
【０１０９】
また、総消費電力は、部屋毎の総消費電力であってもよい。この場合、電力制御装置１０の機能の一部（例えば、第１通信部１０４等）が子機として、各部屋に設置される場合があるが、この場合でも、子機を含めて全体として、電力制御装置１０になる。
【０１１０】
なお、前記の複数種の期間は、時間帯と、日付と、気候と、ユーザの外出の有無と、のうちのいずれかを含む情報によって区分けされている期間であればよい。基本的に、これらの情報で区分けされている期間においては、ユーザは同じ行動をする可能が高いので、制御内容を的確に設定できる。特に、これは、時間帯と日付とを含む情報によって、期間が区分けされているときに言える。
【０１１１】
＜実施形態２＞
次に、本発明の実施形態２に係る電力制御システムについて説明する。実施形態２に係る電力制御システムは、実施形態１に係る電力制御システム１と同様の構成及び機能を有する。このため、実施形態２に係る電力制御システム、このシステムを構成する各装置、並びに各装置の構成及び機能の説明に用いる符号は、実施形態１で使用した符号と同一又は類似の符号を用いる。また、実施形態１と重複した説明は、適宜省略する。
【０１１２】
実施形態２に係る電力制御システム１を備える住居は、実施形態１と同様に、太陽電池である発電装置９７と、複数の電気機器２０とを備える。実施形態２に係る電力制御システム１で発電される発電電力は、図１５に示すような正午に最大値となる曲線を描き、複数の電気機器２０で消費される総消費電力は、図１５に示すような朝の時間帯と、晩の時間帯の時間帯とでそれぞれピークを有する曲線を描く。これは、実施形態２に係る住居の居住者（つまり、電力制御システム１のユーザ）が昼の時間帯に家を留守にする生活パタンで生活しているからである。
【０１１３】
ここで、実施形態２に係る電力制御システム１を備える住居は、例えば、１日といった所定期間において、発電装置９７が太陽光発電した電力量と、電力制御システム１で消費される総消費電力量との差異が、電力制御システム１を備えていない住居よりも少ない。このため、電力制御システム１を備える住居において消費される電力を発電するために、例えば、化石燃料を燃焼させることで電力会社などから排出される二酸化炭素の量は、電力制御システム１を備えていない住居よりも少ない。よって、本発明に係る電力制御システム１を備える住居は、低ＣＯ２住宅と称される。特に、電力制御システム１の発電電力量と、電力制御システム１の総消費電力量との差異が所定期間において値「０」（つまり、発電電力量と総消費電力量とが等しい）住居は、ゼロエミッション住宅と称される。
【０１１４】
本実施形態に係る電力制御システム１は、ＥＶ（Electric Vehicle：電気自動車）９８の蓄電池９８ａを、発電装置９７が発電した電力を蓄積する蓄積手段として使用すると共に、蓄積した電力を電気機器２０へ供給する電力源として使用する。このため、低ＣＯ２住宅を実現するためには、発電装置９７が発電した電力が消費されない場合には、蓄電池９８ａが蓄電可能である限り蓄電する必要がある。
【０１１５】
ここで、ＥＶ９８の蓄電池９８ａは、例えば、リチウム二次電池で構成される。このため、蓄電池９８ａは、例えば、過充電によって所定電圧よりも高い電圧を印加されると、蓄電池９８ａの内部に蓄積された電解液が分解されてしまう。このため、蓄電池９８ａの蓄電可能な電力量が低下してしまう（つまり、劣化してしまう）。また、蓄電池９８ａは、例えば、充電量が所定値よりも多くなることで、蓄電池９８ａの内部電圧が所定電圧よりも高い状態を所定時間以上維持させられた場合にも劣化してしまう。特に、蓄電池９８ａは、満充電の状態で長時間放置されると、激しく劣化してしまう。
【０１１６】
蓄電池９８ａが劣化すると、劣化していない蓄電池９８ａよりも蓄電池９８ａのリセールバリュー（つまり、再販価格）が低下してしまう。また、ＥＶ９８が充電を行わずに走行可能な距離（つまり、蓄電池９８ａに蓄積された電力のみで走行可能な航続距離）が、劣化前よりも短くなる。さらに、ＥＶ９８は、蓄電池９８ａに蓄積された電力を、エアーコンディションよりもＥＶ９８の走行のために優先的に使用するため、ユーザの利便性が低下してしまう。
【０１１７】
そこで、以下、所定期間における発電電力量と総消費電力量との差異を減少させながら、発電電力を蓄積する車両の利便性の低下を抑制できる電力制御システム１について説明を行う。
【０１１８】
図１のパワーコンディショナ５０は、例えば、ＥＶ９８の蓄電池９８ａに接続される充電ケーブルと、充放電ケーブルの正極端子と負極端子との電圧差を定周期で測定する電圧測定部と、電圧測定部が測定した電圧差に基づいてＥＶ９８と充放電ケーブルとが接続されているか否か定周期で検出する接続検出部と、ＥＶ９８と充放電ケーブルとの接続状態を表す情報を電力制御装置１０へ定周期で送信する送信部とを備えている。尚、接続検出部は、例えば、ＥＶ９８が備えるＥＣＵ（Engine Control Unit）に対して定周期で応答を求める信号を送信し、ＥＶ９８から所定時間以上に渡って応答信号が送信されない場合に、ＥＶ９８とパワーコンディショナ５０との接続が解除されたことを検出するとしても良い。
【０１１９】
また、パワーコンディショナ５０は、ＥＶ９８の蓄電池９８ａに蓄電された電力量を定周期で検出する検出部をさらに備え、検出部で検出された蓄電量を、蓄電池９８ａが蓄電可能な電力量の最大値（以下、最大蓄積電力量という）に対する割合（以下、蓄電率という）で表す蓄電率情報を、定周期で電力制御装置１０へ送信する。尚、パワーコンディショナ５０は、図１を参照して説明した電力線の他に、発電装置９７で発電された電力を電力会社へ売却するために用いられる電力線とも接続している。
【０１２０】
さらに、パワーコンディショナ５０は、発電装置９７で発電された電力を所定周期で計測する発電電力計測部をさらに備え、計測された電力を表す情報を所定周期で電力制御装置１０へ送信する。
【０１２１】
ここで、発電装置９７は、太陽光をエネルギー源として電力を発電するため、発電装置９７が発電する電力は、例えば、時間帯、季節、及び天気で区分けされた期間によって特徴付けられる場面（以下、発電シーンという）毎に、複数種の発電パタンに類型化できる。
【０１２２】
例えば、朝の時間帯（午前６時から１０時５９分まで）の発電シーンにおいては、図１５に示すように、発電電力の時間推移は上昇曲線を描く。これに対して、昼の時間帯（午前１１時から１４時５９分まで）においては、発電電力の時間推移は正午をピークとする曲線を描く。さらに、夕方の時間帯（午前１５時から１７時５９分まで）においては、発電電力の時間推移は下昇曲線を描く。さらに、夜（晩）の時間帯（午前１８時から２２時５９分まで）及び深夜・早朝の時間帯（午前２３時から午前５時５９分まで）などにおいては、発電電力は値「０」となる。
【０１２３】
さらに、同じ時間帯で特徴付けられる発電シーンであれば、「夏」の季節で特徴付けられる発電シーンにおける発電量の方が、「冬」の季節で特徴付けられる発電シーンにおける発電量よりも多い。またさらに、同じ時間帯及び季節で特徴付けられる発電シーンであれば、「晴れの日」の発電シーンにおける発電量の方が、「雨の日」の発電シーンにおける発電量よりも多い。
【０１２４】
このため、図２の記憶部１０２は、図１６（Ａ）に示すような発電シーンテーブルを記憶する。図１６（Ａ）の発電シーンテーブルは、発電シーンを表す情報と、発電シーンを特徴づける期間（季節、時間帯、及び天気）を表す情報、発電シーンを特徴づける期間に判別対象とする時刻又は期間が含まれる条件を表す情報、及び発電シーンにおける発電装置９７の発電パタンを識別する情報（以下、発電パタンＩＤという）とを対応付けて記憶している。
【０１２５】
また、記憶部１０２は、図１６（Ａ）の発電シーンテーブルに記憶された発電パタンＩＤ毎に、発電パタンＩＤで識別される発電パタンを表す情報を記憶した、図１６（Ｂ）に示すような発電パタンテーブルを記憶する。図１６（Ｂ）の発電パタンテーブルは、発電パタンで発電が行われる時刻を表す情報と、当該時刻における発電電力を表す情報とを対応付けて複数記憶している。
【０１２６】
ところで、通常、ユーザが営む日々の生活は、例えば、時間帯及び季節だけでなく曜日と、天気とによって特徴付けられる場面（以下、生活シーンという）毎に、複数種の生活パタンに類型化できる。このため、ユーザの生活パタンが異なると、ユーザによって利用されるＥＶ９８の利用パタン及び電気機器２０の利用パタンが異なる。利用パタンが異なると、ＥＶ９８の利用により消費される蓄電池９８ａの蓄電電力量のパタン、及び電気機器２０で消費される消費電力のパタンが異なる。
【０１２７】
例えば、多くのユーザは、通常、深夜・早朝の時間帯に睡眠し、朝の時間帯に起床して電気機器２０を利用した後にバスや電車などを利用して出勤する。また、多くのユーザは、夏の季節よりも冬の季節の方が遅く起床する。さらに、多くのユーザは、平日に会社へ出勤するので、ＥＶ９８を利用しないし、電気機器２０の利用機会も減少する。これに対して、多くのユーザは、休日には出勤しないので、電気機器２０の利用機会が増加し、ＥＶ９８の利用機会も増加する。また、多くのユーザは、冬の雨の日には、冬の晴れの日よりも、空調機２４の設定温度を高く設定したり、ＥＶ９８を高頻度で利用したりする。
【０１２８】
このため、図２の記憶部１０２は、図１７に示すような生活シーンテーブルを記憶する。この生活シーンテーブルは、生活シーンを表す情報と、生活シーンを特徴付ける（季節、時間帯、曜日、及び天気で区切られた）期間を表す情報と、生活シーンを特徴づける期間に判別対象とする期間又は時刻が含まれる条件を表す情報と、生活シーンにおけるユーザの生活パタンを識別する情報（以下、生活パタンＩＤという）とを対応付けて記憶している。
【０１２９】
尚、生活シーンは、ユーザの行動によって特徴付けられても良い。例えば、生活シーンは、ユーザが不在であることを特徴とする生活シーン「留守」、及び複数のユーザがリビングなどに集まっていることを特徴とする生活シーン「だんらん」であっても良い。この生活シーン「留守」は、例えば、「晩」の期間において照明などの電気機器が所定数以上点灯していないことを表す情報が受信部１０１ｆで受信された場合に、特定部１０１ａによって特定される。また、生活シーン「だんらん」は、例えば、「晩」の期間においてリビングの照明が点灯していることを表す情報が受信部１０１ｆで受信され、子供部屋の照明が点灯していないことを表す情報、寝室の照明が点灯していないことを表す情報、及び浴室の照明が点灯していないことを表す情報などが受信された場合に、特定部１０１ａによって特定される。この生活シーン「留守」及び「だんらん」は、これらのシーンが開始してから所定の時間以上継続するという特徴がある。例えば、生活シーン「だんらん」は、複数のユーザが会話などを楽しむため、生活シーンが「だんらん」であると特定された後に所定の時間以上に亘って電気機器２０の利用状況が変化しないことが予測される。同様に、例えば、生活シーン「留守」は、ユーザが目的地へ出かけた後に帰宅するまでユーザが電力制御システム１を利用することがないので、生活シーンが「留守」であると特定された後に所定の時間以上に亘って電気機器２０の利用状況が変化しないことが予測される。
【０１３０】
図２の記憶部１０２は、図１８に示すようなＥＶ利用パタンテーブルを記憶する。このＥＶ利用パタンテーブルは、生活パタンを識別する生活パタンＩＤと、生活パタンに分類される生活においてＥＶ９８の利用が開始される時刻を表す情報及び利用が終了される時刻を表す情報と、ＥＶ９８の利用により消費される電力量を、ＥＶ９８が備える蓄電池９８ａの最大蓄積電力量に対する割合で表す消費電力率情報とを対応付けて記憶している。
【０１３１】
さらに、図２の記憶部１０２は、ＥＶ９８の利用スケジュール（利用開始日と利用終了日と）を表す情報が保存された、図１９に示すようなＥＶ利用予定テーブルを記憶している。このＥＶ利用予定テーブルに記憶された情報は、図２の操作部１０７からユーザに操作に応じて入力された情報であって、記録部１０１ｋによって保存された情報である。
【０１３２】
記憶部１０２は、図１７の生活シーンテーブルに記憶された生活パタンＩＤ毎に、生活パタンＩＤで識別される生活パタンにおいて利用される電気機器２０の利用パタンを表す情報が保存された、図２０に示すような電気機器利用パタンテーブルを記憶する。図２０の利用パタンテーブルは、電気機器２０の利用時刻を表す情報と、各電気機器２０の消費電力を表す情報と、各消費電力の総和（つまり、総消費電力）を表す情報とを対応付けて記憶している。
【０１３３】
ここで、ある種の電気機器２０は、同じ運転モードで動作しても、運転を開始してから所定時間経過するまでの初期段階と、動作を開始してから所定時間経過した後の後期段階とでは、消費電力が異なる。例えば、空調機２４が運転を開始してから所定の時間を経過するまでの初期段階において、冷えた部屋を暖めるために要する消費電力は時間と共に増加する。その後、所定時間が経過して後期段階になると、部屋が設定温度付近まで暖まるので、空調機２４で消費される消費電力がピークを迎えた後に逓減し続け、やがて略一定値に収束する。同様のことが、ＩＨクッキングヒータ２２にも当てはまり、鍋などを加熱する際にＩＨクッキングヒータ２２で消費される電力の推移にはピークがある。このため、本実施形態に係る電力制御装置１０は、瞬間的な総消費電力（各電気機器２０で消費される電力の総和）を低下させるために、空調機２４などの電気機器２０の利用時間帯をずらすことにより、各電器機器で消費される電力がピークとなる時間帯を分散させ（いわゆる、ピークシフト）、総消費電力のピークを低下させる。
【０１３４】
ここで、電気機器２０の利用時間帯をシフトさせることでユーザが被る利便性の低下は、電気機器２０の種類及び生活シーン毎に異なる。例えば、「冬の平日の朝」の期間における生活シーンにおいて空調機２４の動作時刻が起床時よりも早くなることによってユーザの利便性は低下し難いが、空調機２４の動作時刻が起床時よりも遅くなると、ユーザは、体温で温まった布団から冷えた部屋へ出ることになるので利便性が低下し易い。
【０１３５】
また、ある種の電気機器２０は、運転モード毎に消費電力が異なる。例えば、空調機２４やＩＨクッキングヒータ２２は、通常の運転モードよりも消費電力の少ない運転モード（省電力モードなど）を有する。このため、本実施形態に係る電力制御装置１０は、瞬間的な総消費電力を低下させるために、空調機２４などの電気機器２０の運転モードを変更させる。
【０１３６】
ここで、電気機器２０の運転モードを変更させることでユーザが被る利便性の低下は、電気機器２０の種類及び生活シーン毎に異なる。例えば、生活シーン「春の平日の朝」において空調機２４の動作モードが省電力モードとなることによってユーザの利便性は低下し難いが、ＩＨクッキングヒータ２２の動作モードが変化すると、朝食の調理を失敗したり、調理時間が延びるなどしてユーザの利便性が低下する。
【０１３７】
よって、図２の記憶部１０２は、図２１に示すような制御パタンテーブルを記憶する。この制御パタンテーブルは、生活シーンを識別する生活シーンＩＤと、生活シーンに分類される生活において利用が想定されている動作機器を表す情報と、総消費電力を低下させるために行われるピークシフト制御又は動作モード制御の内容を表す情報とを対応付けて記憶する。ここで、ピークシフト制御又は動作モード制御の内容を表す情報は、利用が想定されている動作機器の内で、ピークシフト制御又は動作モード制御を実行する優先順位を表す情報と、制御対象とされる機器を表す情報と、どのようにピークシフトさせるか、どのような動作モードに変更させるかといった制御方法を表す情報とを含む。
【０１３８】
尚、本実施形態における電力制御システム１は、電気機器２０毎に、電気機器２０で消費される消費電力を所定周期で計測するセンサを複数備える。各センサは、それぞれのセンサで計測された消費電力を表す情報を、図１の機器制御ネットワークＮ１を介して電力制御装置１０へ送信し、図２に示した電力制御装置１０の記録部１０１ｋは、受信された消費電力を表す情報それぞれと、それぞれの受信時刻を表す情報と、それぞれの消費電力の和である総消費電力を表す情報とを対応付けて記憶部１０２に履歴として記録する。
【０１３９】
また、電力制御装置１０でパワーコンディショナ５０から受信された蓄電率で蓄電量を表す情報（つまり、ＥＶ９８に搭載された蓄電池９８ａの蓄電率を表す情報）は、記録部１０１ｋによって、受信時刻を表す情報と対応付けられて記憶部１０２に履歴として記録される。また、記録部１０１ｋは、蓄電率を表す情報が所定時間以上受信されない場合に、ＥＶ９８の利用が開始されたと判別し、カレンダ部１０６から提供された現在時刻を表す情報をＥＶ９８の利用開始時刻を表す情報として記憶部１０２に履歴として記録する。その後、記録部１０１ｋは、蓄電率を表す情報が受信されると、ＥＶ９８の利用が終了したと判別し、カレンダ部１０６から提供された現在時刻を表す情報をＥＶ９８の利用終了時刻を表す情報として記憶部１０２に履歴として記録する。さらに、記録部１０１ｋは、利用開始時刻に受信された情報で表される蓄電率から、利用終了時刻に受信された情報で表される蓄電率を減算することで、ＥＶ９８の利用により消費された電力量に対応する消費電力率を算出し、算出された消費電力率を表す情報と、利用開始時刻を表す情報と、利用終了時刻を表す情報とを対応付けて記憶部１０２に履歴として記録する。
【０１４０】
尚、記録部１０１ｋが履歴として記録する利用開始時刻を表す情報と、利用終了時刻を表す情報と、消費電力率を表す情報とのいずれか１つ以上は、ＥＶ９８の備えるＥＣＵからパワーコンディショナ５０を介して受信された情報であっても良い。
【０１４１】
さらに、電力制御装置１０でパワーコンディショナ５０から受信された発電電力を表す情報は、記録部１０１ｋによって、受信時刻を表す情報と対応付けられて記憶部１０２に履歴として記録される。
【０１４２】
図１６から図２１に示したそれぞれのテーブルの内容は、記憶部１０２に履歴として記憶された情報に基づいて所定周期で更新（つまり、学習）される。具体的には、制御部１０２は、同じシーンを特徴付ける期間に含まれる時刻を表す情報毎に、それぞれの時刻を表す情報と対応付けられた情報で表される発電電力の平均値を算出することで、図１６（Ｂ）に示すような発電電力のパタンを学習する。同様に、制御部１０２は、図１８に示すようなＥＶ９８の利用パタンや、図２０に示すような電気機器２０の利用パタンを学習する。尚、図１６から図２１に示したそれぞれのテーブルの内容は、予め工場出荷の段階などにおいてそれぞれのテーブルに記憶されたものでも良いし、図２の操作部１０７がユーザの操作に応じて入力した情報であって、記録部１０１ｋによって記録されたものであっても良い。
【０１４３】
図２の制御部１０１は、本実施形態において、図２２に示すような電力制御処理を実行する。尚、電力制御処理の説明において説明を簡単にするために、図１の蓄電池９６の放電及び蓄電池９６への充電については考慮しないものとする。
【０１４４】
図２２の電力制御処理を開始すると、制御部１０１は、図２の受信部１０１ｆでパワーコンディショナ５０から受信された接続状況を表す情報に基づいて、ＥＶ９８がパワーコンディショナ５０に接続しているか否かを判別する（ステップＳ４０１）。このとき、ＥＶ９８がパワーコンディショナ５０に接続していると判別すると（ステップＳ４０１；ＹＥＳ）、制御部１０１は、図２３に示すようなＥＶ接続時電力制御処理を実行する（ステップＳ４０２）。
【０１４５】
図２３のＥＶ接続時電力制御処理を開始すると、図２に示した制御部１０１の特定部１０１ａは、現在の生活シーン及び発電シーンを特定する現在シーン特定処理を実行する（ステップＳ４１１）。具体的には、特定部１０１ａは、図１のＨＧＷ３０から受信された最新の気候情報に基づいて現在の天気を特定する。また、特定部１０１ａは、特定された天気と、カレンダ部１０６から供給された情報で表される現在時刻とが満足する、図１６（Ａ）に示す発電シーンテーブルの期間条件を特定する。その後、特定部１０１ａは、特定した期間条件を表す情報と対応付けられた情報で表される発電シーンを現在の発電シーンと特定する。また同様に、特定部１０１ａは、現在の時間帯、季節、曜日、及び天気で表される期間に基づいて、図１７の生活シーンテーブルから生活シーンを特定する。尚、本実施形態において、特定部１０１ａは、現在の生活シーン及び発電シーンを特定するとして説明したが、これに限定される訳ではなく、実施形態１のように、現在から所定時間後の（つまり、これから到来する）生活シーン及び発電シーンを特定しても良い。
【０１４６】
図２３のステップＳ４１１の後に、予測部１０１ｇは、特定されたシーンにおけるＥＶ９８の利用状況を予測するＥＶ利用状況予測処理を実行する（ステップＳ４１２）。具体的には、予測部１０１ｇは、ＥＶ９８の利用時間帯及びＥＶ９８の利用により消費される蓄電電力を予測する。このために、予測部１０１ｇは、図１７の生活シーンテーブルから、ステップＳ４１１で特定された現在の生活シーンにおけるユーザの生活パタンを識別する生活パタンＩＤを検索する。その後、予測部１０１ｇは、図１８のＥＶ利用パタンテーブルから、検索された生活パタンＩＤで識別される生活パタンにおいて、ユーザがＥＶ９８を利用する時間帯及びＥＶ９８によって消費される蓄電電力量に対応した消費電力率を取得する（つまり、予測部１０１ｇは、生活パタンＩＤに対応付けられた利用開始時刻を表す情報及び利用終了時刻を表す情報、並びに消費電力率を表す情報を検索する）。
【０１４７】
また、予測部１０１ｇは、図１９のＥＶ利用予定テーブルから、現在日時から所定時間後まで期間における利用予定期間を表す情報（利用開始日を表す情報及び利用終了日を表す情報）を検索する。その後、予測部１０１ｇは、検索された利用予定期間を表す情報に基づいて、ＥＶ９８の利用予定がない期間（以下、不使用期間という）であって、現在の時刻を含む期間を予測する。なお、本実施形態では、予測部１０１ｇは、図１９の利用予定テーブルに保存された利用予定に基づいてＥＶ９８の不使用期間を特定するとして説明したが、これに限定される訳ではない。例えば、予測部１０１ｇは、図１８の利用パタンテーブルに保存されたＥＶ９８の利用状況を表す情報に基づいてＥＶ９８の不使用期間を特定しても良い。
【０１４８】
図２３のステップＳ４１２の後に、閾値変更部１０１ｍは、ステップＳ４１２で検索されたＥＶ９８の利用状況に基づいてＥＶ９８が備える蓄電池９８ａの好適な蓄電率を定める蓄電率設定処理を実行する（ステップＳ４１３）。蓄電率設定処理においては、例えば、予め記憶部１０２に記憶された設定ファイルに保存されたデータなどに基づいて、長期不使用時好適蓄電率、使用予定時最低蓄電率、定常時好適蓄電率、電力余剰時好適蓄電率、及び電力不足時好適蓄電率の値が設定される。
【０１４９】
ここで、長期不使用時好適蓄電率とは、ＥＶ９８が長期間に渡って使用されないためにＥＶ９８の蓄電池９８ａが長期間に渡って放電しない場合において、蓄電池９８ａの劣化を防止できる好適な蓄電率をいう。本実施形態において、長期不使用時好適蓄電率は、２０％であるとして説明する。ここで、長期不使用時好適蓄電率は、長期間に渡って（つまり、所定期間を超えて）放電が行われない場合であってもＥＶ９８の蓄電池９８ａが過充電により劣化しない又は所定期間における蓄電池９８ａの劣化の程度が所定の程度より低くなる程に蓄電池９８ａの内部電圧が低く（つまり、蓄電率が低く）、かつ当該長期間に渡って充電が行われない場合であってもＥＶ９８の蓄電池９８ａが過放電により劣化しない又は所定期間における蓄電池９８ａの劣化の程度が所定の程度より低くなる程に蓄電池９８ａの蓄電率が高い蓄電率の一例であるため、長期不使用時好適蓄電率は２０％に限定される訳ではない。このため、当業者はより好適な長期不使用時好適蓄電率を実験により定めることができる。尚、本実施形態において過放電とは、蓄電池９８ａの蓄電率が長期不使用時好適蓄電率より低くなることをいう。また、所定期間における蓄電池９８ａの劣化の程度は、例えば、所定期間の開始時における蓄電池９８ａの最大蓄積電力量から、当該所定期間の終了時における蓄電池９８ａの最大蓄積電力量を減算した値で表すことができる。
【０１５０】
使用予定時最低蓄電率とは、予定されたＥＶ９８の使用を妨げず、かつ実際にＥＶ９８が予定通り利用された場合でも、過放電により蓄電池９８ａが劣化しない又は所定期間における蓄電池９８ａの劣化の程度が所定の程度より低くなる程に高いと予想される蓄電率の内で最低の蓄電率をいう。本実施形態において、使用予定時最低蓄電率は、長期不使用時好適蓄電率に対して、ステップＳ４１２で予測された消費電力率を加算した値であるとして説明する。
【０１５１】
定常時好適蓄電率とは、電力制御システム１において生じる不足電力が所定の閾値（以下、不足電力閾値という）よりも小さく、かつ余剰電力が所定の閾値（以下、余剰電力閾値という）よりも小さい定常時（つまり、電力の過不足が無い又は所定よりも少ない時）において好適な蓄電率であって、ＥＶ９８の利便性を確保しながら蓄電池９８ａの劣化を防止できる蓄電率をいう。本実施形態において、定常時好適蓄電率は、７０％であるとして説明する。しかし、定常時好適蓄電率は、ＥＶ９８が利用パタンと異なる態様で利用された場合であってもＥＶ９８の利便性の低下を防止できる程度に蓄電率が高く（つまり、使用予定時最低蓄電率よりも蓄電率が高く）、かつ過充電によるＥＶ９８の蓄電池９８ａが劣化しない又は所定期間における蓄電池９８ａの劣化の程度が所定の程度より低くなる程に蓄電率が低い蓄電率の一例であるため、定常時好適蓄電率は７０％に限定される訳ではない。このため、当業者はより好適な定常時好適蓄電率を実験により定めることができる。また、当業者はより好適な不足電力閾値及び余剰電力閾値を実験によりそれぞれ定めることができる。尚、本実施形態において過充電とは、蓄電池９８ａの蓄電率が定常時好適蓄電率より高くなることをいう。
【０１５２】
電力余剰時好適蓄電率とは、電力制御システム１において生じる余剰電力が余剰電力閾値よりも大きい電力余剰時（このとき、電力制御システム１は電力余剰状態にあるという）において好適な蓄電率であって、予め定められた時間内（以下、過充電制限時間内という）において蓄電池９８ａの劣化などを防止できる、定常時好適蓄電率よりも高い蓄電率をいう。本実施形態において、電力余剰時好適蓄電率は、８０％であるとして説明する。しかし、電力余剰時好適蓄電率は、定常時好適蓄電率よりも高く、かつ過充電制限時間内であれば過充電によるＥＶ９８に搭載された蓄電池９８ａが劣化しない又は所定期間における蓄電池９８ａの劣化の程度が所定の程度より低くなる程に蓄電率が低い蓄電率の一例であるため、電力余剰時好適蓄電率は８０％に限定される訳ではない。このため、当業者はより好適な電力余剰時好適蓄電率と過充電制限時間とを実験により定めることができる。
【０１５３】
電力不足時好適蓄電率とは、電力制御システム１において、過充電制限時間よりも短い所定時間内（以下、電力不足に対する準備時間内という）に生じる不足電力が不足電力閾値よりも大きくなる（不足電力が不足電力閾値よりも大きくなる時を電力不足時といい、電力制御システム１は電力不足状態にあるという）ことが予測されている場合において、当該不足電力を解消又は緩和できると予測される好適な蓄電率であって、電力不足に対する準備時間内であれば蓄電池９８ａの劣化などを防止できる蓄電率をいう。本実施形態において、電力不足に対する準備時間が十分に短いため電力不足時好適蓄電率は１００％であるとして説明する。しかし、電力不足時好適蓄電率は、電力不足に対する準備時間内であれば過充電によるＥＶ９８の蓄電池９８ａが劣化しない又は所定期間における蓄電池９８ａの劣化の程度が所定の程度より低くなる程に蓄電率が低い蓄電率の一例であるため、電力不足時好適蓄電率は１００％に限定される訳ではなく、９９％であっても良い。つまり、当業者はより好適な電力不足時好適蓄電率と電力不足に対する準備時間とを実験により定めることができる。
【０１５４】
尚、蓄電池９８ａの蓄電率が、それぞれ長期不使用時好適蓄電率、使用予定時最低蓄電率、定常時好適蓄電率、電力余剰時好適蓄電率、及び電力不足時好適蓄電率である場合に蓄電池９８ａに蓄電される電力量を、それぞれ第１蓄電量、第２蓄電量、第３蓄電量、第４蓄電量、及び第５蓄電量という。
【０１５５】
図２３のステップＳ４１３の後に、電力制御部１０１ｅは、ステップＳ４１２で予測された現在継続中の不使用期間が長期間（所定期間以上）であるか否かを判別する（ステップＳ４１４）。本実施形態において、長期間とは、例えば、１ヶ月以上の期間であるとして説明するがこれに限定される訳ではなく、当業者はより好適な期間を実験により定めることができる。
【０１５６】
ステップＳ４１４において、ＥＶ９８の不使用期間が長期間であると判別した場合に（ステップＳ４１４；ＹＥＳ）、電力制御部１０１ｅは、パワーコンディショナ５０から受信された情報で表される蓄電率が、長期不使用時好適蓄電率（本実施形態においては２０％）より大きいか否かを判別する（ステップＳ４１５）。
【０１５７】
ステップＳ４１５において、ＥＶ９８が備える蓄電池９８ａの蓄電率が２０％以下であると判別された場合には（ステップＳ４１５；ＮＯ）、ステップＳ４１１から上記処理を繰り返す。尚、ＥＶ９８が備える蓄電池９８ａの蓄電率が２０％以下であると判別された場合に（ステップＳ４１５；ＮＯ）、電力制御部１０１ｅは、蓄電池９８ａの蓄電率と２０％との差異が所定値以下であるか否かを判別し、当該差異が所定値より大きいと判別すると、図２５を参照して後述する過放電解消処理を実行した後に、ステップＳ４１１から上記処理を繰り返すとしても良い。これに対して、ＥＶ９８が備える蓄電池９８ａの蓄電率が２０％よりも大きいと判別された場合には（ステップＳ４１５；ＹＥＳ）、電力制御部１０１ｅは、図２４に示すような過充電解消処理を実行した後に（ステップＳ４１６）、ステップＳ４１１から上記処理を繰り返す。
【０１５８】
図２４の過充電解消処理を開始すると、電力制御部１０１ｅは、ＥＶ９８が備える蓄電池９８ａを放電させるように命じる命令をパワーコンディショナ５０に送信する（ステップＳ５０１）。次に、予測部１０１ｇは、ＥＶ９８が備える蓄電池９８ａの蓄電率に基づいて、図２３のステップＳ４１１で特定された生活シーンにおいて蓄電池９８ａが放電する放電電力の推移を予測する放電電力予測処理を実行する（ステップＳ５０２）。
【０１５９】
次に、算出部１０１ｄは、特定された生活シーンに基づいて総消費電力の当該生活シーンにおいて推移する予測値を算出する（つまり、総消費電力についての予測電力を複数の時刻について算出する）総消費電力予測処理を実行する（ステップＳ５０３）。具体的には、算出部１０１ｄは、図１７の生活シーンテーブルから、図２３のステップＳ４１１で特定された現在の生活シーンを表す情報に対応付けられた生活パタンＩＤを検索し、検索された生活パタンＩＤに対応した図２０の電気機器利用パタンテーブルから、総消費電力の推移パタンを表す情報を取得する。次に、算出部１０１ｄは、図２の記憶部１０２に履歴として記憶された、現在時刻から所定時間前の時刻までの期間（以下、所定時間前までの期間という）における総消費電力を表す情報を検索し、所定時間前までの期間における総消費電力の実際の推移を特定する。次に、算出部１０１ｄは、履歴から特定された総消費電力の実際の推移と略一致するように、取得された情報で表される総消費電力の推移パタンの所定時間前までの期間に対応する部分を補正し、当該部分に対する補正と同様の補正を推移パタンの残りの部分に行う。例えば、推移パタンの所定時間前までの期間に対応する部分を「2」倍する補正を行うと、補正後の部分が総消費電力の実際の推移と略一致する場合には、算出部１０１ｄは、推移パタンの残りの部分も「2」倍する。例えば、単身世帯の住宅に友人が遊びに来ている場合などが考えられる。また、例えば、推移パタンの所定時間前までの期間に対応する部分を時間軸の負方向に「30分」シフトする補正を行うと、補正後の部分が総消費電力の実際の推移と略一致する場合には、算出部１０１ｄは、推移パタンの残りの部分も時間軸の負方向に「30分」シフトする補正を行う。例えば、ユーザが「30分」早起きした場合が考えられる。
【０１６０】
ステップＳ５０３の後に、予測部１０１ｇは、図２３のステップＳ４１１で特定された発電シーンに基づいて、発電装置９７の発電電力を予測する発電電力予測処理を実行する（ステップＳ５０４）。具体的には、予測部１０１ｇは、図１６（Ａ）の発電シーンテーブルから、現在の発電シーンを表す情報に対応付けられた発電パタンＩＤを検索し、検索された発電パタンＩＤに対応した図１６（Ｂ）の発電パタンテーブルから、発電電力の推移パタンを表す情報を取得し、ステップＳ５０２と同様に、発電電力の推移パタンに対して補正を行う。
【０１６１】
次に、予測部１０１ｇは、ステップＳ５０２で予測された放電電力と、ステップＳ５０３で予測された総消費電力と、ステップＳ５０４で予測された発電電力と、図１の電力系統９９から供給される電力に対して設定された閾値（以下、電力系統９９の閾値という）とを、以下の式（１）に代入することで、現在時刻から所定時間後の期間においてＥＶ９８の蓄電池９８ａが放電した場合に電気機器２０で消費されずに余る余剰電力を予測する余剰電力予測処理を実行する（ステップＳ５０５）。
【０１６２】
余剰電力  ＝  放電電力  ＋  発電電力  ＋  電力系統９９の閾値  −  総消費電力・・・（１）
【０１６３】
尚、電力系統９９の閾値は、図１に示した分電装置６０のブレーカに応じて予め定められても良いし、図２の操作部１０７から入力されたユーザの操作に応じた情報に基づいて定められても良い。特に、電力系統９９の閾値が値「０」の場合には、電力制御システム１を備える住宅は、「ゼロエミッション住宅」と称される。
【０１６４】
ステップＳ５０５の後に、予測部１０１ｇは、現在時刻から所定時間後の期間における余剰電力の予測値のいずれかが負の値であるか否かを判別する（ステップＳ５０６）。このとき、余剰電力の予測値のいずれかが負の値である（つまり、現在時刻から所定時間後の期間において、不足電力が発生する）と判別されると（ステップＳ５０６；ＹＥＳ）、電力制御部１０１ｅは、電力の消費を抑制する電力消費抑制処理を実行する（ステップＳ５０７）。具体的には、電力制御部１０１ｅは、図２１の制御パタンテーブルから、図２３のステップＳ４１１で特定された生活シーンを表す情報に対応付けられた制御内容（つまり、優先順位、制御対象、及び制御方法）を表す情報を取得し、取得された制御内容に従って電気機器２０の電力消費を抑制する。具体的には、優先順位が高い制御対象から順に、動作開始時刻を早めるように命じる指示、又は動作モードを変更するように命じる指示などを送信する。
【０１６５】
ステップＳ５０７の後に、受信部１０１ｆは、指示を送信した電気機器２０から指示に応じたか否かを表す情報や抑制電力を表す情報を受信し、電力制御部１０１ｅは、受信された情報に基づいて不足電力の発生が回避されるか否かを判別する。その後、電力制御部１０１ｅは、受信された情報や不足電力の発生が回避されたことを表す情報又は不足電力の発生が回避されないことを警告する情報などを消費電力の抑制結果を表す情報とする。その後、電力制御部１０１ｅは、図２の表示部１０３に抑制結果を表す情報表示させる抑制結果通知処理を実行した後に（ステップＳ５０８）、過充電解消処理の実行を終了する。
【０１６６】
ステップＳ５０６において、余剰電力の予測値の全てが正の値である（つまり、電力不足が予測されない）と判別されると（ステップＳ５０６；ＮＯ）、電力制御部１０１ｅは、余剰電力を電力会社に売却するようにパワーコンディショナ５０を制御した後に、過充電解消処理の実行を終了する。
【０１６７】
図２３のステップＳ４１４において、ＥＶ９８の不使用期間が長期間ではないと判別された場合に（ステップＳ４１４；ＮＯ）、電力制御部１０１ｅは、パワーコンディショナ５０から受信された情報で表される蓄電率が、通常時好適蓄電率（本実施形態においては７０％）よりも高いか否かを判別する（ステップＳ４１７）。このとき、蓄電率が７０％よりも高いと判別すると（ステップＳ４１７；ＹＥＳ）、電力制御部１０１ｅは、通常時好適蓄電率を超えた時間をカウントする時間カウンタの値を値「１」だけインクリメントする（ステップＳ４１８）。尚、時間カウンタは、初期状態において値「０」に初期化されている。
【０１６８】
ステップＳ４１８の後に、電力制御部１０１ｅは、蓄電池９８ａの蓄電率が電力余剰時好適蓄電率（本実施形態では８０％）よりも高いか否かを判別する（ステップＳ４１９）。このとき、蓄電率が８０％よりも高いと判別すると（ステップＳ４１９；ＹＥＳ）、電力制御部１０１ｅは、時間カウンタの値が電力不足に対する準備時間以上であるか否かを判別する（ステップＳ４２０）。このとき、電力制御部１０１ｅは、時間カウンタの値が電力不足に対する準備時間以上であると判別すると（ステップＳ４２０；ＹＥＳ）、蓄電池９８ａの劣化を防止するため、ステップＳ４１６と同様に過充電解消処理を実行した後に（ステップＳ４２２）、ステップＳ４１１に戻り上記処理を繰り返す。
【０１６９】
ステップＳ４１８において、蓄電率が８０％以下であると判別されると（ステップＳ４１９；ＮＯ）、電力制御部１０１ｅは、時間カウンタの値が時間カウンタの値が過充電制限時間以上であるか否かを判別する（ステップＳ４２１）。このとき、電力制御部１０１ｅは、時間カウンタの値が過充電制限時間以上であると判別すると（ステップＳ４２１；ＹＥＳ）、過充電解消処理を実行した後に（ステップＳ４２２）、ステップＳ４１１に戻り上記処理を繰り返す。
【０１７０】
ステップＳ４１７において、蓄電率が７０％以下であると判別されると（ステップＳ４１７；ＮＯ）、電力制御部１０１ｅは、時間カウンタの値「０」に初期化する（ステップＳ４２３）。その後、電力制御部１０１ｅは、蓄電率が長期不使用時好適蓄電率（本実施形態においては２０％）より低いか否かを判別する（ステップＳ４２４）。このとき、蓄電率が長期不使用時好適蓄電率より低いと判別されると（ステップＳ４２４；ＹＥＳ）、電力制御部１０１ｅは、図２５に示すような過放電解消処理を実行した後に（ステップＳ４２５）、ステップＳ４１１に戻り上記処理を繰り返す。
【０１７１】
図２５の過放電解消処理を開始すると、電力制御部１０１ｅは、ＥＶ９８が備える蓄電池９８ａを充電するように命じる命令をパワーコンディショナ５０に送信する（ステップＳ６０１）。次に、予測部１０１ｇは、ＥＶ９８が備える蓄電池９８ａの蓄電率に基づいて、図２３のステップＳ４１１で特定された生活シーンにおいて蓄電池９８ａに充電される電力の推移を予測する充電電力予測処理を実行する（ステップＳ６０２）。その後、算出部１０１ｄ及び予測部１０１ｇは、図２４のステップＳ５０３及びステップＳ５０４と同様の処理をそれぞれ実行する（ステップＳ６０３及びステップＳ６０４）。
【０１７２】
次に、予測部１０１ｇは、ステップＳ６０２で予測された充電電力と、ステップＳ６０３で予測された総消費電力と、ステップＳ６０４で予測された発電電力と、電力系統９９の閾値とを、以下の式（２）に代入することで、現在時刻から所定時間後の期間において、ＥＶ９８の蓄電池９８ａを充電した場合に電気機器２０で消費されずに余る余剰電力を予測する余剰電力予測処理を実行する（ステップＳ６０５）。
【０１７３】
余剰電力  ＝  発電電力  ＋  電力系統９９の閾値  −  充電電力  −  総消費電力・・・（２）
【０１７４】
その後、電力制御部１０１ｅは、図２４のステップＳ５０６からステップＳ５０８と同様の処理を実行した後に（ステップＳ６０６からステップＳ６０８）、過放電解消処理の実行を終了する。
【０１７５】
図２０のステップＳ４２０において、時間カウンタの値が電力不足に対する準備時間より小さいと判別された場合（ステップＳ４２０；ＮＯ）、ステップＳ４２１において、時間カウンタの値が過充電制限時間より小さいと判別された場合（ステップＳ４２１；ＮＯ）、又はステップＳ４２４において、蓄電率が長期不使用時好適蓄電率以上であると判別された場合（ステップＳ４２４；ＮＯ）、電力制御部１０１ｅは、図２６に示すような通常蓄電時処理を実行した後に（ステップＳ４２６）、ステップＳ４１１に戻り上記処理を繰り返す。
【０１７６】
図２６の通常蓄電時処理を開始すると、算出部１０１ｄ及び予測部１０１ｇは、図２４のステップＳ５０３及びＳ５０４と同様の処理をそれぞれ実行する（ステップＳ７０１及びＳ７０２）。次に、予測部１０１ｇは、ステップＳ７０１で予測された総消費電力と、ステップＳ７０２で予測された発電電力と、電力系統９９の閾値とを、以下の式（３）に代入することで、現在時刻から電力不足に対する準備時間後までの期間（以下、電力不足準備期間という）において、ＥＶ９８が備える蓄電池９８ａの充電及び放電のいずれもがない場合に電気機器２０で消費されずに余る余剰電力を予測する余剰電力予測処理を実行する（ステップＳ７０３）。
【０１７７】
余剰電力  ＝  発電電力  ＋  電力系統９９の閾値  −  総消費電力・・・（３）
【０１７８】
次に、予測部１０１ｇは、現在時刻において余剰電力が正の値であるか否かを判別する（ステップＳ７０４）。このとき、余剰電力が正の値であると判別されると（ステップＳ７０４；ＹＥＳ）、電力制御部１０１ｅは、蓄電池９８ａが放電中であれば放電を終了させるように命じる命令をパワーコンディショナ５０へ送信する。次に、予測部１０１ｇは、電力不足準備期間において、不足電力のピークが到来するか否かを判別する（ステップＳ７０５）。具体的には、予測部１０１ｇは、電力不足準備期間における余剰電力の符号を逆転させた値を電力不足準備期間の不足電力とし、不足電力が正の値であれば、電力不足準備期間において電力不足が生じると判別する。また、予測部１０１ｇは、電力不足準備期間において不足電力が不足電力閾値を超える場合に、不足電力のピークが到来する（つまり、電力制御システム１が電力不足状態に陥る）と判別する。
【０１７９】
ステップＳ７０５において、電力不足準備期間に不足電力のピークが到来すると判別されると（ステップＳ７０５；ＹＥＳ）、電力制御部１０１ｅは、ＥＶ９８が備える蓄電池９８ａの蓄電率の上限を電力不足時好適蓄電率（本実施形態では１００％）とする（ステップＳ７０６）。これに対して、電力不足準備期間に不足電力のピークが到来しないと判別されると（ステップＳ７０５；ＮＯ）、予測部１０１ｇは、現在、発電装置９７で発電された電力が余剰な状態（つまり、電力余剰状態）であるか否かを判別する（ステップＳ７０７）。具体的には、以下の式（４）を用いて、予測部１０１ｇは、現在時刻における発電装置９７で発電された電力の内で電気機器２０において消費されずに余るＰＶ余剰電力を算出し、算出されたＰＶ余剰電力が余剰電力閾値を超えると判別する場合に電力制御システム１が電力余剰状態にあると判別する。
【０１８０】
ＰＶ余剰電力  ＝  発電電力  −  総消費電力・・・（４）
【０１８１】
ステップＳ７０７において、電力制御システム１が電力余剰状態であると判別されると（ステップＳ７０７；ＹＥＳ）、電力制御部１０１ｅは、蓄電池９８ａの蓄電率の上限を電力余剰時好適蓄電率（本実施形態では８０％）とする（ステップＳ７０８）。これに対して、電力制御システム１が電力余剰状態でないと判別されると（ステップＳ７０７；ＮＯ）、電力制御部１０１ｅは、蓄電池９８ａの蓄電率の上限を定常時好適蓄電率（本実施形態では７０％）とする（ステップＳ７０９）。
【０１８２】
ステップＳ７０６、ステップＳ７０８、又はステップＳ７０９の後に、電力制御部１０１ｅは、パワーコンディショナ５０から受信した情報で表されるＥＶ９８の蓄電率がステップＳ７０６、ステップＳ７０８、又はステップＳ７０９で設定された蓄電率の上限よりも低いか否かを判別する（ステップＳ７１０）。このとき、ＥＶ９８の蓄電率が蓄電率の上限よりも低いと判別されると（ステップＳ７１０；ＹＥＳ）、電力制御部１０１ｅは、ＰＶ余剰電力をＥＶ９８が備える蓄電池９８ａに充電するように命じる命令をパワーコンディショナ５０に送信した後に（ステップＳ７１１）、通常蓄積時制御処理の実行を終了する。これに対して、蓄電率が蓄電率の上限以上であると判別されると（ステップＳ７１０；ＮＯ）、電力制御部１０１ｅは、蓄電池９８ａが充電中であれば充電を終了させるように命じる命令をパワーコンディショナ５０へ送信した後に（ステップＳ７１２）、必要に応じてＰＶ余剰電力を電力会社へ販売するように命じる命令をパワーコンディショナ５０へ送信してから、通常蓄積時制御処理の実行を終了する。
【０１８３】
ステップＳ７０４において、余剰電力が値「０」以下である（つまり、電力不足が生じるおそれがある）と判別されると（ステップＳ７０４；ＮＯ）、電力制御部１０１ｅは、蓄電池９８ａが充電中であれば充電を終了させるように命じる命令をパワーコンディショナ５０へ送信する。次に、電力制御部１０１ｅは、ＥＶ９８が備える蓄電池９８ａの蓄電率の下限を使用予定時最低蓄電率（本実施形態では、２０％  ＋  図２３のステップＳ４１２で取得した消費電力率）に設定する（ステップＳ７２１）。その後、電力制御部１０１ｅは、ＥＶ９８が備える蓄電池９８ａの蓄電率が、ステップＳ７２１で設定された蓄電量下限よりも大きいか否かを判別する（ステップＳ７２２）。
【０１８４】
ステップＳ７２２において、電力制御部１０１ｅは、蓄電率が蓄電量下限よりも大きいと判別すると（ステップＳ７２２；ＹＥＳ）、電力制御部１０１ｅは、図２４のステップＳ５０１及びＳ５０２と同様の処理を実行することでＥＶ９８の蓄電池９８ａを放電させる制御などを行う（ステップＳ７２３及びＳ７２４）。その後、予測部１０１ｇは、上記の式（１）を用いて不足電力（つまり、余剰電力の符号を逆転させた値）を再算出する（ステップＳ７２５）。その後、予測部１０１ｇは、再算出された不足電力の値が正の値であるか（つまり、電力不足が生じているか）否かを判別する（ステップＳ７２６）。このとき、不足電力の値が正の値であると判別されると（ステップＳ７２６；ＹＥＳ）、電力制御部１０１ｅは、図２４のステップＳ５０７及びステップＳ５０８の処理を実行することで必要に応じて電気機器２０の消費電力を削減などした後に（ステップＳ７２７及びステップＳ７２８）、通常蓄電時処理の実行を終了する。これに対して、電力制御部１０１ｅは、再算出された不足電力の値が値「０」以下である（つまり、電力不足が生じていない）と判別した場合に（ステップＳ７２６；ＮＯ）、電力会社から購入する電力又は蓄電池９８ａから放電させる電力を余剰電力（つまり、不足電力の符号を逆転させた値）だけ減少させるように命じる命令を必要に応じてパワーコンディショナ５０へ送信した後に、通常蓄電時処理の実行を終了する。
【０１８５】
ステップＳ７２２において、電力制御部１０１ｅは、蓄電率が蓄電量下限以下であると判別すると（ステップＳ７２２；ＮＯ）、電力制御部１０１ｅは、必要に応じてＥＶ９８の蓄電池９８ａの放電を中止させる制御を行った後に（ステップＳ７２９）、通常蓄電時処理の実行を終了する。
【０１８６】
具体例として、制御部１０１は、図２９に示すような時刻ｔ１からｔ３において、電力が不足したと判別する（図２６のステップＳ７０４；ＮＯ参照）。次に、制御部１０１は、時刻ｔ１からｔ２までＥＶ９８の蓄電池９８ａを放電させることで、各電気機器２０へ電力を突発的に供給する（図２７のステップＳ７２３参照）。その後、制御部１０１は、時刻ｔ２において、蓄電池９８ａの蓄電率が使用予定時最低蓄電率（７０％）に等しくなったため、これ以上放電させると予定されたＥＶ９８の使用を妨げると判別し放電を中止させる（ステップＳ７２２；ＮＯ参照）。
【０１８７】
その後、制御部１０１は、時刻ｔ３において、発電電力の方が総消費電力よりも多いが、電力余剰状態には達していない定常時であると判別し（図２６のステップＳ７０７；ＮＯ参照）、蓄電池９８ａの蓄電率が時刻ｔ４において定常時好適蓄電率に等しくなるまで蓄電池９８ａを充電させる（ステップＳ７０９及びＳ７１１参照）。
【０１８８】
その後、制御部１０１は、時刻ｔ５において、時刻ｔ７からｔ９までの期間に電力ピークが到来する（電力不足状態に陥る）と予測する（ステップＳ７０５；ＹＥＳ参照）。次に、制御部１０１は、電力不足のピークの到来に備えて、蓄電池９８ａの蓄電率が時刻ｔ４において電力不足時好適蓄電率（１００％）と等しくなるまで充電させる（ステップＳ７０６及びステップＳ７１１など参照）。時刻ｔ７において、制御部１０１は、電力が不足したと判別し（ステップＳ７０４；ＮＯ参照）、時刻ｔ７からｔ８まで蓄電池９８ａを放電させる（図２７のステップＳ７２３参照）。その後、時刻ｔ８において、蓄電池９８ａの蓄電率が使用予定時最低蓄電率に等しくなったと判別し放電を中止させる（ステップＳ７２２；ＮＯ及びステップＳ７２９参照）。
【０１８９】
時刻ｔ９からｔ１０まで、制御部１０１は、それぞれ時刻ｔ３からｔ５における処理と同様の処理を実行する。時刻ｔ１０において、制御部１０１は、電力制御システム１が電力余剰状態であると判別し（図２６のステップＳ７０７；ＹＥＳ）、蓄電池９８ａを電力余剰時好適蓄電率（８０％）まで充電させる（図２６のステップＳ７０８など参照）。
【０１９０】
時刻ｔ１１において、制御部１０１は、ＥＶ９８が長期間に渡って使用されないと判別し（図２３のステップＳ４１４；ＹＥＳ参照）、長期不使用時好適蓄電率（２０％）まで放電させる（ステップＳ４１６参照）。
【０１９１】
図２２のステップＳ４０１において、ＥＶ９８がパワーコンディショナ５０に接続していないと判別すると（ステップＳ４０１；ＮＯ）、制御部１０１は、図２８に示すようなＥＶ非接続時電力制御処理を実行する。
【０１９２】
図２８のＥＶ非接続時電力制御処理を開始すると、算出部１０１ｄ及び予測部１０１ｇは、図２４のステップＳ５０２及びＳ５０３と同様の処理をそれぞれ実行する（ステップＳ７３１及びＳ７３２）。次に、予測部１０１ｇは、以下の式（５）を用いて、ＥＶ９８から電力供給が無い場合における現在時刻から所定時間後の期間における余剰電力を予測する余剰電力予測処理を実行する（ステップＳ７３３）。
【０１９３】
余剰電力  ＝  発電電力  ＋  電力系統９９の閾値  −  総消費電力・・・（５）
【０１９４】
その後、電力制御部１０１ｅは、図２４のステップＳ５０６からＳ５０８の処理と同様の処理を実行することで（ステップＳ７３４からＳ７３６）、必要に応じて電力機器２０の電力消費を抑制した後に、ＥＶ非接続時電力制御処理の実行を終了する。
【０１９５】
これらの構成によれば、特定された生活シーンにおける総消費電力のパタンを用いて予測された予測電力に基づいて消費電力の抑制を試行するように複数の電気機器のいずれか１つ以上に対して指示を行うため、複数の電気機器の総消費電力が大きくなる前に電力消費を抑制できる。
【０１９６】
またこれらの構成によれば、電力制御部１０１ｅは、特定部１０１ａで特定された期間における発電電力の予測値と総消費電力についての予測電力とに基づいてＥＶ９８に搭載された蓄電池９８ａに対する充放電を制御するとともに、充放電電力の予測値と、発電電力の予測値とに基づいて総消費電力を抑制する指示を行う。このため、所定の期間において発電される電力量と総消費電力量との差異をより軽減できる。つまり、電力制御システム１で消費される電力を発電するために排出されるＣＯ２量をより削減できるので、低ＣＯ２住宅を実現し、ゼロエミッションの達成に寄与できる。
【０１９７】
さらにこれらの構成によれば、電力制御部１０１ｅは、ＥＶ９８における消費電力量についての予測値に基づいて、ＥＶ９８に搭載された蓄電池９８ａが劣化しない又は蓄電池９８ａが劣化する程度が所定の程度より小さくなるように蓄電池９８ａに対して充放電させる。このため、ＥＶ９８に搭載された蓄電池９８ａの劣化などを防止できるので、ＥＶ９８の利便性の低下を抑制しながら、所定の期間において発電される電力量と総消費電力量との差異を軽減できる（つまり、低ＣＯ２住宅を実現できる）
【０１９８】
さらにこれらの構成によれば、電力制御部１０１ｅは、ＥＶ９８に搭載された蓄電池９８ａが過放電により劣化しない又は過放電による劣化の程度が所定の程度より小さくなる第１蓄電量（長期不使用時好適蓄電率）に対して、ＥＶ９８の消費電力量についての予測値を加えた第２蓄電量（使用予定時最低蓄電率）と、蓄電池９８ａの蓄電量（蓄電率）が同じになる又は第２蓄電量（使用予定時最低蓄電率）よりも少なくなると蓄電池９８ａの放電を中止させる。このため、蓄電池９８ａは予測されたＥＶ９８の消費電力量よりも多い電力を蓄積するので、所定の期間において発電される電力量と総消費電力量との差異を軽減する（つまり、低ＣＯ２住宅を実現する）ためにＥＶ９８が備える蓄電池９８ａを放電させた場合であっても、ＥＶ９８の利用を阻害するなどして利便性を低下させることを防止できる。また、予測された通りにＥＶ９８が実際に利用されれば、ＥＶ９８に搭載された蓄電池９８ａの蓄電量（蓄電率）は第１蓄電量（長期不使用時好適蓄電率）を下回らないので蓄電池９８ａの劣化などを防止できる。
【０１９９】
またこれらの構成によれば、電力制御部１０１ｅは、第２蓄電量（使用予定時最低蓄電率）よりも多く、過充電制限時間を超えて蓄電池９８ａの放電が行われなくとも劣化しない又は過充電による劣化の程度が所定の程度より小さくなる第３蓄電量（定常時好適蓄電率）と、蓄電池９８ａの蓄電量（蓄電率）が同じになる又は第３蓄電量（定常時好適蓄電率）よりも少なくなると蓄電池の充電を中止させる。このため、予測された通りにＥＶ９８が利用されない場合や、過充電制限時間を超えて蓄電池９８ａの放電が行われない場合であっても、ＥＶ９８に搭載された蓄電池９８ａが劣化することを防止できる。
【０２００】
さらにこれらの構成によれば、電力制御部１０１ｅは、電力余剰状態が生じると予測される場合に、第３蓄電量（定常時好適蓄電率）より多く、かつ過充電制限時間内であれば蓄電池９８ａが劣化しない又は劣化の程度が所定の程度より小さくなる第４蓄電量（電力余剰時好適蓄電率）と、蓄電池９８ａの蓄電量が同じになる又は第４蓄電量（電力余剰時好適蓄電率）よりも多くなると、蓄電池９８ａの充電を中止させ、蓄電池９８ａの蓄電量（蓄電率）が第４蓄電量（電力余剰時好適蓄電率）と同一の蓄電量（蓄電率）又は第４蓄電量（電力余剰時好適蓄電率）より多い蓄電量（蓄電率）に維持された時間が過充電制限時間を超える前に蓄電池９８ａを放電させる。このため、ＥＶ９８の蓄電池９８ａに蓄積された余剰電力によって、低ＣＯ２住宅を実現しつつ、蓄電池９８ａの劣化を防止できる。
【０２０１】
またさらにこれらの構成によれば、電力制御部１０１ｅは、電力不足状態が生じると予測される場合に、第３蓄電量（定常時好適蓄電率）より多く、かつ電力不足に対する準備時間であれば蓄電池９８ａが劣化しない又は劣化の程度が所定の程度より小さくなる第５蓄電量（電力不足時好適蓄電率）と、蓄電池９８ａの蓄電量（蓄電率）が同じになる又は第５蓄電量（電力不足時好適蓄電率）よりも多くなると蓄電池９８ａの充電を中止させ、蓄電池９８ａの蓄電量（蓄電率）が第５蓄電量（電力不足時好適蓄電率）と同一の蓄電量（蓄電率）又は第５蓄電量（電力不足時好適蓄電率）より多い蓄電量（蓄電率）に維持された時間が電力不足に対する準備時間を超える前に蓄電池９８ａを放電させる。このため、ＥＶ９８の蓄電池９８ａに蓄積された電力によって電力不足を解消することで、低ＣＯ２住宅を実現しつつ、蓄電池９８ａの劣化を防止できる。
【０２０２】
またこれらの構成によれば、電力制御部１０１ｅは、不使用期間においてＥＶ９８に搭載された蓄電池９８ａの放電が行われなかった場合でも蓄電池９８ａが劣化しない又は劣化の程度が所定の程度より小さくなる程に少ない蓄電量（蓄電率）であって、かつ不使用期間において蓄電池の充電が行われなかった場合でも蓄電池９８ａが劣化しない程度に多い蓄電量（蓄電率）に達するまで、蓄電池９８ａを充電又は放電させ、不使用期間において蓄電池９８ａの充放電を制御しない。このため、不使用期間に亘ってＥＶ９８が使用されないため蓄電池９８ａが放電しない場合であっても、蓄電池の劣化を確実に防止できる。
【０２０３】
＜実施形態２の変形例＞
なお、電力制御部１０１ｅは、図２６のステップＳ７０４において、余剰電力が正の値であると判別されると（ステップＳ７０４；ＹＥＳ）、蓄電池９８ａが放電中であれば放電を終了させるように命じる命令をパワーコンディショナ５０へ送信した後に、不足電力のピークが到来するか否か、及び電力制御システム１が発電電力余剰状態であるか否かに関わらず、蓄電池９８ａの蓄電率の上限を１００％（又は、例えば、９８％のように、１００％から所定値を減算した値）とし、ステップＳ７１１において、蓄電池９８ａの蓄電率が１００％（又は９８％）となるまで（つまり、蓄電池９８ａがフル充電されるまで）充電を行う構成を採用できる。
【０２０４】
つまり、電力制御部１０１ｅは、電力が余剰している場合に（ステップＳ７０４；ＹＥＳ参照）蓄電池９８ａのフル充電を開始し、蓄電池９８ａがフル充電されてから所定時間経過すると（正確には、蓄電率が７０％を超えてから過充電制限時間を経過する時刻又は蓄電率が８０％を超えてから電力不足に対する準備時間を経過する時刻のいずれか早い時刻を経過すると）（ステップＳ４２０；ＹＥＳ及びステップＳ４２１；ＹＥＳ参照）、過充電解消処理が実行される（ステップＳ４２２参照）としても良い。換言すれば、制御部１０１は、蓄電池９８ａのフル充電と放電とを、蓄電池９８ａの劣化が生じない又は生じる劣化の程度が所定の程度よりも少ない所定時間間隔で繰り返しても良い。
【０２０５】
これらの構成によれば、電力制御部１０１ｅは、ＥＶ９８に搭載された蓄電池９８ａの蓄電量を、満充電量まで又満充電量よりも所定の電力量だけ少ない蓄電量まで充電させ、蓄電池９８ａが満充電量又は満充電量よりも所定の電力量だけ少ない蓄電量を維持されても劣化しない又は劣化の程度が所定の程度より少ない所定時間を超える前に蓄電池９８ａを放電させる。このため、蓄電池の劣化を確実に防止しながら、蓄電量の低下によりＥＶ９８の利用を妨げることを確実に防止できるので、ＥＶ９８の利便性が確実に向上する。さらに、蓄積される発電電力量の低下による低ＣＯ２住宅の実現の阻害を確実に防止できる。
【０２０６】
当業者は、上記実施形態１及び２を組み合わせることができる。上記実施形態１及び２では、プログラムが、ＲＯＭ等のコンピュータ読み取り可能な記録媒体に予め記憶されているものとして説明した。しかし、コンピュータを、上記電力制御装置の全部又は一部として動作させ、あるいは、上述の処理を実行させるためのプログラムを、フレキシブルディスク、ＣＤ−ＲＯＭ（Compact Disk Read-Only Memory）、ＤＶＤ（Digital Versatile Disk）、ＭＯ（Magneto Optical disk）などのコンピュータ読み取り可能な記録媒体に格納して配布し、これをコンピュータにインストールし、そのコンピュータに上述の処理を実行させてもよい。
【０２０７】
さらに、プログラムは、インターネット上のサーバ装置が有するディスク装置等に格納され、例えば、搬送波に重畳させて、コンピュータにダウンロード等されるものとしてもよい。尚、本発明の電力制御方法は、実施形態１又は実施形態２の電力制御装置１０を用いて実施できる。
【０２０８】
また、本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【符号の説明】
【０２０９】
１  電力制御システム
１０  電力制御装置
１０１ａ  特定部
１０１ｂ  予測値取得部
１０１ｃ  現在値取得部
１０１ｄ  算出部
１０１ｅ  電力制御部
１０１ｆ  受信部
１０１ｇ  予測部
１０１ｋ  記録部
１０１ｌ  受付部
１０１ｍ  閾値変更部
２０  電気機器
２１  食器洗浄機
２２  ＩＨクッキングヒータ
２３  電子レンジ
２４  空調機
２５  換気扇
２６  電気給湯器
２７  テレビ
３０  ＨＧＷ
４０  電力センサ
５０  パワーコンディショナ
６０  分電装置
９９  電力系統
【図１】
0005436396.tif 000002
【図２】
0005436396.tif 000003
【図３】
0005436396.tif 000004
【図４】
0005436396.tif 000005
【図５】
0005436396.tif 000006
【図６】
0005436396.tif 000007
【図７】
0005436396.tif 000008
【図８】
0005436396.tif 000009
【図９】
0005436396.tif 000010
【図１０】
0005436396.tif 000011
【図１１】
0005436396.tif 000012
【図１２】
0005436396.tif 000013
【図１３】
0005436396.tif 000014
【図１４】
0005436396.tif 000015
【図１５】
0005436396.tif 000016
【図１６】
0005436396.tif 000017
【図１７】
0005436396.tif 000018
【図１８】
0005436396.tif 000019
【図１９】
0005436396.tif 000020
【図２０】
0005436396.tif 000021
【図２１】
0005436396.tif 000022
【図２２】
0005436396.tif 000023
【図２３】
0005436396.tif 000024
【図２４】
0005436396.tif 000025
【図２５】
0005436396.tif 000026
【図２６】
0005436396.tif 000027
【図２７】
0005436396.tif 000028
【図２８】
0005436396.tif 000029
【図２９】
0005436396.tif 000030